(57)【要約】  無線通信ネットワークにおいて近隣セルの設定を管理するために第１のネットワークノードによって実施される方法が提供される。第１のネットワークノードおよび第３のネットワークノードは無線通信ネットワークにおいて動作する。第１のネットワークノードは、第３のネットワークノードによって送信された１つまたは複数の送信が実際に送信されたか否かを指示するパターンを含む設定を取得する（８０１）。送信は、同期信号（ＳＳ）ブロックおよびビームのいずれかを含む。第１のネットワークノードは、次いで、受信した設定に基づいて近隣セルの設定を管理する（８０２）。【選択図】図８
2021503756.tif 000002
【特許請求の範囲】
【請求項１】
無線通信ネットワーク（１００）において近隣セルの設定を管理するために第１のネットワークノード（１１１）によって実施される方法であって、前記第１のネットワークノード（１１１）および第３のネットワークノード（１１３）が前記無線通信ネットワーク（１００）において動作する、方法において、
第３のネットワークノード（１１３）によって送信された１つまたは複数の送信が実際に送信されたか否かを指示するパターンを含む設定を取得すること（８０１）であって、前記送信が、同期信号（ＳＳ）ブロックおよびビームのいずれかを含む、設定を取得すること（８０１）と、
前記受信された設定に基づいて近隣セルの前記設定を管理すること（８０２）とを含む方法。
【請求項２】
前記パターンが、１つのパターンおよびパターンのグループのいずれかを含む、請求項１に記載の方法。
【請求項３】
前記パターンが、送信パターンおよびＵＥ測定パターンのいずれかを含む、請求項１または２に記載の方法。
【請求項４】
前記１つまたは複数の送信が実際に送信されたか否かを指示する前記パターンが、前記１つまたは複数の送信がＵＥ測定に実際に利用可能か否かを指示するパターンによって表現される、請求項１から３のいずれか一項に記載の方法。
【請求項５】
前記設定がＳＳブロック設定およびビーム設定のうちの任意の１つまたは複数である、請求項１から４のいずれか一項に記載の方法。
【請求項６】
前記取得される設定が、前記第１のネットワークノード（１１１）によって決定されること、１つまたは複数のユーザ機器（ＵＥ）（１２０）から受信されること、および前記第３のネットワークノード（１１３）から受信されること、のいずれかによって取得される、請求項１から５のいずれか一項に記載の方法。
【請求項７】
前記第３のネットワークノード（１１３）が前記第１のネットワークノード（１１１）と同一のネットワークノードである、請求項１から６のいずれか一項に記載の方法。
【請求項８】
前記受信された設定に基づき、近隣セルの前記設定を管理すること（８０２）が、
−  前記受信された設定のすべてまたは一部分を別のネットワークノードに送ること、
−  前記受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定のために前記ＳＳＢのセットを設定すること、
−  １つまたは複数のＵＥに関する測定ギャップを設定すること、
−  １つまたは複数の独自の送信を設定すること、
−  セルのセットのすべてまたは少なくともＮ個のセルによって実際に送信されたＳＳＢの共通セットを判定すること、
−  セルのセットのうちのセルのいずれによっても送信されなかったＳＳＢの共通セットを判定すること、
−  隣接セルにおいて前記ＳＳＢが送信されたか否かということに基づいて負荷特性またはメトリックを判定すること、および
−  前記無線通信ネットワーク（１００）において動作する第２のネットワークノード（１１２）に前記設定を送ることのうちの１つまたは複数を実施することを含む、請求項１から７のいずれか一項に記載の方法。
【請求項９】
プロセッサによって実行されたとき、前記プロセッサに、請求項１から８のいずれか一項に記載のアクションを実施させる命令を含むコンピュータプログラム。
【請求項１０】
請求項９に記載のコンピュータプログラムを含むキャリアであって、電子信号、光信号、電磁気信号、磁気信号、電気信号、無線信号、マイクロ波信号、またはコンピュータ可読記憶媒体のうちの１つであるキャリア。
【請求項１１】
無線通信ネットワーク（１００）において近隣セルの設定をハンドリングするためにユーザ機器（ＵＥ）（１２０）によって実施される方法であって、前記ＵＥ（１２０）、第１のネットワークノード（１１１）および第３のネットワークノード（１１３）が前記無線通信ネットワーク（１００）において動作する方法において、
同期信号（ＳＳ）ブロックおよびビームのいずれかを含む、第３のネットワークノード（１１３）によって送信された１つまたは複数の送信が実際に送信されたか否かを指示するパターンを含む設定を取得すること（９０１）と、
前記第１のネットワークノード（１１１）に前記設定を送ること（９０２）とを含む方法。
【請求項１２】
前記パターンが、１つのパターンおよびパターンのグループのいずれかを含む、請求項１１に記載の方法。
【請求項１３】
前記パターンが、送信パターンおよびＵＥ測定パターンのいずれかを含む、請求項１１または１２に記載の方法。
【請求項１４】
前記１つまたは複数の送信が実際に送信されたか否かを指示する前記パターンが、前記１つまたは複数の送信がＵＥ測定に実際に利用可能か否かを指示するパターンによって表現される、請求項１１から１３のいずれか一項に記載の方法。
【請求項１５】
前記設定がＳＳブロック設定およびビーム設定のうちの任意の１つまたは複数のものである、請求項１１から１４のいずれか一項に記載の方法。
【請求項１６】
前記取得される設定が、前記ＵＥ（１２０）によって決定されること、および前記第３のネットワークノード（１１３）から受信されることのいずれかによって取得される、請求項１１から１５のいずれか一項に記載の方法。
【請求項１７】
プロセッサによって実行されたとき、前記プロセッサに、請求項１１から１６のいずれか一項に記載のアクションを実施させる命令を含むコンピュータプログラム。
【請求項１８】
請求項１７に記載のコンピュータプログラムを含むキャリアであって、電子信号、光信号、電磁気信号、磁気信号、電気信号、無線信号、マイクロ波信号、またはコンピュータ可読記憶媒体のうちの１つであるキャリア。
【請求項１９】
無線通信ネットワーク（１００）において近隣セルの設定を管理するために第２のネットワークノード（１１２）によって実施される方法であって、第１のネットワークノード（１１１）、前記第２のネットワークノード（１１２）および第３のネットワークノード（１１３）が前記無線通信ネットワーク（１００）において動作する、方法において、
前記第１のネットワークノード（１１１）から、同期信号（ＳＳ）ブロックおよびビームのいずれかを含む、第３のネットワークノード（１１３）によって送信された１つまたは複数の送信が実際に送信されたか否かを指示するパターンを含む設定を受信すること（１００１）と、
前記受信された設定に基づいて近隣セルの設定を管理すること（１００２）とを含む方法。
【請求項２０】
前記パターンが、１つのパターンおよびパターンのグループのいずれかを含む、請求項１９に記載の方法。
【請求項２１】
前記パターンが、送信パターンおよびＵＥ測定パターンのいずれかを含む、請求項１９または２０に記載の方法。
【請求項２２】
前記１つまたは複数の送信が実際に送信されたか否かを指示する前記パターンが、前記１つまたは複数の送信がＵＥ測定に実際に利用可能か否かを指示するパターンによって表現される、請求項１９から２１のいずれか一項に記載の方法。
【請求項２３】
前記設定がＳＳブロック設定およびビーム設定のうちの任意の１つまたは複数のものである、請求項１９から２２のいずれか一項に記載の方法。
【請求項２４】
前記受信された設定に基づいて近隣セルの前記設定を管理すること（１００２）が、
−  前記受信された設定のすべてまたは一部分を別のネットワークノードに送ること、
−  前記受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定のために前記ＳＳＢのセットを設定すること、
−  １つまたは複数のＵＥに関する測定ギャップを設定すること、
−  １つまたは複数の独自の送信を設定すること、
−  セルのセットのすべてまたは少なくともＮ個のセルによって実際に送信されたＳＳＢの共通セットを判定すること、
−  セルのセットのうちのセルのいずれによっても送信されなかったＳＳＢの共通セットを判定すること、および
−  隣接セルにおいてＳＳＢが送信されたか否かということに基づいて負荷特性またはメトリックを判定することのうちの１つまたは複数を実施することを含む、請求項１９から２３のいずれか一項に記載の方法。
【請求項２５】
プロセッサによって実行されたとき、前記プロセッサに、請求項１９から２４のいずれか一項に記載のアクションを実施させる命令を含むコンピュータプログラム。
【請求項２６】
請求項２５に記載のコンピュータプログラムを含むキャリアであって、電子信号、光信号、電磁気信号、磁気信号、電気信号、無線信号、マイクロ波信号、またはコンピュータ可読記憶媒体のうちの１つであるキャリア。
【請求項２７】
無線通信ネットワーク（１００）の通信システムにおいて近隣セルの設定を管理するための第１のネットワークノード（１１１）であって、前記第１のネットワークノード（１１１）および第３のネットワークノード（１１３）が前記無線通信ネットワーク（１００）において動作可能であり、前記第１のネットワークノード（１１１）が、
第３のネットワークノード（１１３）によって送信された１つまたは複数の送信が実際に送信されたか否かを指示するパターンを含む設定を取得することであって、前記送信が、同期信号（ＳＳ）ブロックおよびビームのいずれかを含むように適合されている、設定を取得することと、
前記受信された設定に基づいて近隣セルの前記設定を管理することとを行うように設定されている、第１のネットワークノード（１１１）。
【請求項２８】
前記パターンが、１つのパターンおよびパターンのグループのいずれかを含むように適合されている、請求項２７に記載の第１のネットワークノード（１１１）。
【請求項２９】
前記パターンが、送信パターンおよびＵＥ測定パターンのいずれかを含むように適合されている、請求項２７または２８に記載の第１のネットワークノード（１１１）。
【請求項３０】
前記１つまたは複数の送信が実際に送信されたか否かを指示する前記パターンが、前記１つまたは複数の送信がＵＥ測定のために実際に利用可能か否かを指示するパターンによって表現されるように適合されている、請求項２７から２９のいずれか一項に記載の第１のネットワークノード（１１１）。
【請求項３１】
前記設定が、ＳＳブロック設定およびビーム設定のうちの任意の１つまたは複数のものであるように適合されている、請求項２７から３０のいずれか一項に記載の第１のネットワークノード（１１１）。
【請求項３２】
前記取得される設定が、前記第１のネットワークノード（１１１）によって決定されること、１つまたは複数のユーザ機器（ＵＥ）（１２０）から受信されること、および前記第３のネットワークノード（１１３）から受信されること、のいずれかによって取得されるように適合されている、請求項２７から３１のいずれか一項に記載の第１のネットワークノード（１１１）。
【請求項３３】
前記第３のネットワークノード（１１３）が前記第１のネットワークノード（１１１）と同一のネットワークノードであるように適合されている、請求項２７から３２のいずれか一項に記載の第１のネットワークノード（１１１）。
【請求項３４】
前記受信された設定に基づき、
−  前記受信された設定のすべてまたは一部分を別のネットワークノードに送ること、
−  前記受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定に関する前記ＳＳＢのセットを設定すること、
−  １つまたは複数のＵＥに関する測定ギャップを設定すること、
−  １つまたは複数の独自の送信を設定すること、
−  セルのセットのすべてまたは少なくともＮ個のセルによって実際に送信されたＳＳＢの共通セットを判定すること、
−  セルのセットのうちのセルのいずれによっても送信されなかったＳＳＢの共通セットを判定すること、
−  隣接セルにおいて前記ＳＳＢが送信されたか否かということに基づいて負荷特性またはメトリックを判定すること、および
−  前記無線通信ネットワーク（１００）において動作する第２のネットワークノード（１１２）に前記設定を送ることのうちの１つまたは複数を実施することによって、近隣セルの前記設定を管理するようにさらに設定されている、請求項２７から３３のいずれか一項に記載の第１のネットワークノード（１１１）。
【請求項３５】
無線通信ネットワーク（１００）における近隣セルの設定をハンドリングするためのユーザ機器（ＵＥ）（１２０）であって、前記ＵＥ（１２０）、第１のネットワークノード（１１１）、および第３のネットワークノード（１１３）が前記無線通信ネットワーク（１００）において動作可能であり、前記ＵＥ（１２０）が、
第３のネットワークノード（１１３）によって送信された１つまたは複数の送信が実際に送信されたか否かを指示するパターンを含むように適合されている設定を取得することであって、前記送信が、同期信号（ＳＳ）ブロックおよびビームのいずれかを含むように適合されている、設定を取得することと、
前記設定を前記第１のネットワークノード（１１１）に送信することとを行うように設定されているＵＥ（１２０）。
【請求項３６】
前記パターンが、１つのパターンおよびパターンのグループのいずれかを含むように適合されている、請求項３５に記載のＵＥ（１２０）。
【請求項３７】
前記パターンが、送信パターンおよびＵＥ測定パターンのいずれかを含むように適合されている、請求項３５または３６に記載のＵＥ（１２０）。
【請求項３８】
前記１つまたは複数の送信が実際に送信されたか否かを指示する前記パターンが、前記１つまたは複数の送信がＵＥ測定のために実際に利用可能か否かを指示するパターンによって表現されるように適合されている、請求項３５から３７のいずれか一項に記載のＵＥ（１２０）。
【請求項３９】
前記設定が、ＳＳブロック設定およびビーム設定のうちの任意の１つまたは複数のものであるように適合されている、請求項３５から３８のいずれか一項に記載のＵＥ（１２０）。
【請求項４０】
前記設定が、前記ＵＥ（１２０）によって決定されること、および前記第３のネットワークノード（１１３）から受信されることのいずれかによって取得されるように適合されている、請求項３５から３９のいずれか一項に記載のＵＥ（１２０）。
【請求項４１】
無線通信ネットワーク（１００）において近隣セルの設定をハンドリングするための第２のネットワークノード（１１２）であって、第１のネットワークノード（１１１）、前記第２のネットワークノード（１１２）および第３のネットワークノード（１１３）が前記無線通信ネットワーク（１００）において動作可能であり、前記第２のネットワークノード（１１２）が、
前記第１のネットワークノード（１１１）から、同期信号（ＳＳ）ブロックおよびビームのいずれかを含むように適合された、第３のネットワークノード（１１３）によって送信された１つまたは複数の送信が実際に送信されたか否かを指示するパターンを含むように適合された設定を受信することと、
前記受信された設定に基づいて近隣セルの前記設定を管理することとを行うように設定されている、第２のネットワークノード（１１２）。
【請求項４２】
前記パターンが、１つのパターンおよびパターンのグループのいずれかを含むように適合されている、請求項４１に記載の第２のネットワークノード（１１２）。
【請求項４３】
前記パターンが、送信パターンおよびＵＥ測定パターンのいずれかを含むように適合されている、請求項４１または４２に記載の第２のネットワークノード（１１２）。
【請求項４４】
前記１つまたは複数の送信が実際に送信されたか否かを指示する前記パターンが、前記１つまたは複数の送信がＵＥ測定のために実際に利用可能か否かを指示するパターンによって表現されるように適合されている、請求項４１から４３のいずれか一項に記載の第２のネットワークノード（１１２）。
【請求項４５】
前記設定が、ＳＳブロック設定およびビーム設定のうちの任意の１つまたは複数のものであるように適合されている、請求項４１から４４のいずれか一項に記載の第２のネットワークノード（１１２）。
【請求項４６】
近隣セルの前記設定を管理するようにさらに設定されている第２のネットワークノード（１１２）が、前記受信された設定に基づいて、
−  前記受信された設定のすべてまたは一部分を別のネットワークノードに送ること、
−  前記受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定に関する前記ＳＳＢのセットを設定すること、
−  １つまたは複数のＵＥに関する測定ギャップを設定すること、
−  １つまたは複数の独自の送信を設定すること、
−  セルのセットにおけるすべてまたは少なくともＮ個のセルによって、実際に送信されたＳＳＢの共通セットを判定すること、
−  セルのセットのうちのセルのいずれによっても送信されなかったＳＳＢの共通セットを判定すること、および
−  隣接セルにおいてＳＳＢが送信されたか否かということに基づいて負荷特性またはメトリックを判定することのうちの１つまたは複数を実施する、請求項４１から４５のいずれか一項に記載の第２のネットワークノード（１１２）。
【発明の詳細な説明】
【背景技術】
【０００１】
一般的な無線通信ネットワークでは、無線通信デバイス、移動局、局（ＳＴＡ）および／またはユーザ機器（ＵＥ）としても知られている無線デバイスは、Ｗｉ−Ｆｉネットワークまたは無線アクセスネットワーク（ＲＡＮ）などのローカルエリアネットワークを通じて１つまたは複数のコアネットワーク（ＣＮ）と通信する。ＲＡＮがカバーする地理的エリアは、ビームまたはビームグループとも称され得るサービスエリアまたはセルエリアに分割され得、それぞれのサービスエリアまたはセルエリアが、たとえばいくつかのネットワークではたとえばＮｏｄｅＢ、ｅＮｏｄｅＢ（ｅＮＢ）、または５ＧではｇＮＢとも表され得るＷｉ−Ｆｉアクセスポイントもしくは無線基地局（ＲＢＳ）といった無線アクセスノードなどの無線ネットワークノードによってサーブされている。サービスエリアまたはセルエリアは、無線ネットワークノードによって無線カバレッジが提供される地理的エリアである。無線ネットワークノードは、無線ネットワークノードの範囲内の無線デバイスを用いて、無線周波上で動作するエアインターフェースを通じて通信する。
【０００２】
第４世代（４Ｇ）ネットワークとも称されるエボルブドパケットシステム（ＥＰＳ）の規格は第３世代パートナーシッププロジェクト（３ＧＰＰ）の範囲内で完結しており、この業務は、たとえば５Ｇ新無線（ＮＲ）とも呼ばれる第５世代（５Ｇ）ネットワークを規定するために、次の３ＧＰＰのリリースにおいて継続する。ＥＰＳは、Ｌｏｎｇ  Ｔｅｒｍ  Ｅｖｏｌｕｔｉｏｎ（ＬＴＥ）無線アクセスネットワークとしても知られているエボルブドユニバーサル地上波無線アクセスネットワーク（Ｅ−ＵＴＲＡＮ）と、システムアーキテクチャエボリューション（ＳＡＥ）コアネットワークとしても知られているエボルブドパケットコア（ＥＰＣ）とを備える。３ＧＰＰ無線アクセスネットワークの変形形態であるＥ−ＵＴＲＡＮ／ＬＴＥでは、無線ネットワークノードが、３Ｇネットワークにおいて使用されるＲＮＣではなくＥＰＣコアネットワークに直接接続される。一般に、Ｅ−ＵＴＲＡＮ／ＬＴＥでは、３Ｇ  ＲＮＣの機能は、たとえばＬＴＥにおけるｅＮｏｄｅＢといった無線ネットワークノードとコアネットワークとの間に分散している。そのため、ＥＰＳのＲＡＮは、１つまたは複数のコアネットワークに直接接続された無線ネットワークノードを備える基本的に「フラットな」アーキテクチャを有し、すなわちＲＮＣには接続されない。これを補償するために、Ｅ−ＵＴＲＡＮ規格は、Ｘ２インターフェースと表されている、無線ネットワークノード間の直接インターフェースを規定する。
【０００３】
マルチアンテナ技術は、無線通信システムのデータレートおよび信頼性を大幅に向上し得る。送信器と受信器の両方が、多入力多出力（ＭＩＭＯ）通信チャネルをもたらす複数のアンテナを装備していれば、性能が特に改善される。そのようなシステムおよび／または関連技術は、一般にＭＩＭＯと称される。
【０００４】
５Ｇ計画は、より高速のピークインターネット接続速度に加えて、現行の４Ｇよりも大きい容量で、エリアユニットごとにより多数のモバイルブロードバンドユーザを許容し、ユーザごとに、１か月当たりユーザごとのギガバイト単位で、より大きいかまたは無制限のデータ量の消費を可能にすることを目指すものである。これによって、Ｗｉ−Ｆｉホットスポットの届かない距離にいる人々の大部分が、自分のモバイルデバイスで、高精細度メディアに１日当たり長時間ストリーミングすることが可能になるはずである。５Ｇの研究開発は、４Ｇ機器よりも低コスト、より少ないバッテリ消費およびより低いレイテンシを目指して、モノのインターネットとしても知られているマシンツーマシン通信のサポートを改善することも目指している。
【０００５】
ＮＲアーキテクチャ
別名５Ｇアーキテクチャまたは次世代アーキテクチャである新無線（ＮＲ）アーキテクチャが３ＧＰＰで論じられており、現行の概念は図１に図示され、ｅＮＢはＬＴＥ  ｅＮｏｄｅＢを表し、ｇＮＢおよびｎｇ−ｅＮＢ（またはエボルブドｅＮＢ）はＮＲ  ＢＳ（１つのＮＲ  ＢＳが１つまたは複数の送信／受信ポイントに対応し得る）を表し、ノードの間のラインは３ＧＰＰにおいて審議中の対応するインターフェースを図示する。図１は、３ＧＰＰ  ＴＳ  ３８．３００、ｖ．１．０．１からのＮＲアーキテクチャを表現するものである。
【０００６】
さらに、図２は、３ＧＰＰで論じられている、ＮＲ  ＢＳを用いるＮＲ配備の例示のシナリオを図示するものである。これらの例は、非集中型、共設置型、集中型、および共有型のＮＲ配備に関するものである。
【０００７】
ＮＲにおけるマルチアンテナ方式
ＮＲのためのマルチアンテナ方式は、３ＧＰＰにおいて現在論じられている。
ＮＲについては１００ＧＨｚまでの周波数範囲が検討されている。６ＧＨｚよりも高い周波数の無線通信は、かなりの伝送損失および侵入損失を被ることが知られている。この問題に対処するための解決策の１つには、大規模アンテナ配列を配備して高いビーム形成利得を達成するものがあり、高周波数信号は波長が短いので適切な解決策である。したがって、ＮＲ向けのＭＩＭＯ方式は大規模ＭＩＭＯとも呼ばれる。およそ３０／７０ＧＨｚについては、２５６までのＴｘアンテナ素子およびＲｘアンテナ素子が想定される。７０ＧＨｚにおいて１０２４のＴｘアンテナ素子をサポートするための拡張は合意されており、３０ＧＨｚについては審議中である。サブ６ＧＨｚ通信については、アンテナ素子の数を増加させて、より高いビーム形成利得および多重化利得を得る傾向もある。
【０００８】
大規模ＭＩＭＯでは、アナログ、デジタル、およびハイブリッド（２つの組合せ）といった、ビーム形成のための３つの手法が論じられている。アナログビーム形成はＮＲシナリオにおける大きいパスロスを補償するはずであり、デジタルプリコーディングは、サブ６ＧＨｚに関する適切なカバレッジを達成するために必要な、ＭＩＭＯと類似のさらなる性能利得をもたらすはずである。アナログビーム形成の実装形態の多くは簡単な位相シフタに頼るので、デジタルプリコーディングよりもかなり簡単であるが、多方向適応性における制約（すなわち一度に１つのビームしか形成されず、そこで、ビームが時間領域においてスイッチングされる）、広帯域の送信のみであること（すなわちサブバンド上の送信は不可能）、アナログ領域における不可避の不正確さなどの短所がある。今日、ＬＴＥでは、（デジタル領域とＩＦ領域との間のコンバータが高くつく）デジタルビーム形成が使用されており、データレートおよび多重化能力（１度に多数のサブバンドにわたって複数のビームが形成され得る）の点で最高の性能をもたらすが、電力消費、統合化、およびコストの点で難易度が高いことに加えて、送信ユニット／受信ユニットの数に対して、利得は直線的に増加するわけではなくコストは急激に増加する。したがって、コスト効率的なアナログビーム形成と高容量のデジタルビーム形成から利益を得るために、ＮＲのためのハイブリッドビーム形成をサポートするのが望ましい。図３にはハイブリッドビーム形成のための一例が示されている。ビーム形成は、ネットワーク側またはＵＥ側の送信ビームおよび／または受信ビーム上でよい。
【０００９】
ビーム掃引
サブアレイのアナログビームはそれぞれのＯＦＤＭシンボル上の単一方向へ向けられてよく、よって、サブアレイの数が、ビーム方向の数およびそれぞれのＯＦＤＭシンボルに対応するカバレッジを決定する。しかしながら、特に個々のビーム幅が狭いとき、全体のサービングエリアをカバーするためのビームの数は、一般的にはサブアレイの数よりも多い。したがって、サービングエリア全体をカバーするために、時間領域によって向きが異なる狭いビームを用いる複数の送信が必要とされることがある。このために多数の狭いカバレッジのビームを用意することは、「ビーム掃引」と呼ばれている。アナログおよびハイブリッドのビーム形成のために、ビーム掃引は、ＮＲにおける基本的なカバレッジをもたらすのに必須であると思われる。この目的のために、複数のＯＦＤＭシンボルにおいて、向きの異なるビームがサブアレイを介して送信されてよく、割り当てられて周期的に送信されてよい。図４は２つのサブアレイ上を掃引する送信（Ｔｘ）ビームを表現しており、図５は３つのサブアレイ上を掃引するＴｘビームを表現している。
【００１０】
同期信号（ＳＳ）ブロック設定
ここでは、他の実施形態において想定され得るＳＳブロックおよびＳＳバーストの設定の非限定的な例が説明される。ＳＳブロックに含まれる信号は、周波数内測定、周波数間測定およびＲＡＴ間測定（すなわち別のＲＡＴからのＮＲ測定）を含むＮＲキャリア上での測定用に使用され得る。
【００１１】
ＳＳブロック（ＳＳ／物理的ブロードキャストチャネル（ＰＢＣＨ）ブロックまたはＳＳＢとも称され得る）：ＮＲ１次同期信号（ＰＳＳ）、ＮＲ２次同期信号（ＳＳＳ）および／またはＮＲ−ＰＢＣＨは、ＳＳブロックの内部で送信され得る。所与の周波数帯域について、ＳＳブロックは、（たとえばデフォルトの、または設定された）１つのサブキャリア間隔に基づくＮ個の直交周波数分割多重（ＯＦＤＭ）シンボルに対応し、Ｎは定数である。ＵＥは、少なくともＯＦＤＭシンボルインデックス、無線フレームにおけるスロットインデックスおよびＳＳブロックからの無線フレーム番号を識別することができるものとする。周波数帯域ごとに、（たとえば無線フレームまたはＳＳバーストセットに対して）可能なＳＳブロック時間ロケーションの単一のセットが規定される。少なくともマルチビームの場合には、少なくともＳＳブロックの時間インデックスがＵＥに指示される。実際の送信されるＳＳブロックの位置（複数可）は、ＣＯＮＮＥＣＴＥＤモード／ＩＤＬＥモードの測定を支援するため、ＣＯＮＮＥＣＴＥＤモードのＵＥが未使用のＳＳブロックにおいてＤＬデータ／制御を受信するのを支援するため、および可能性としてＩＤＬＥモードのＵＥが未使用のＳＳブロックにおいてＤＬデータ／制御を受信するのを支援するために通知され得る。
【００１２】
ＳＳバースト：１つまたは複数のＳＳブロックがＳＳバーストセットを構成する。ＳＳバーストセットの内部のＳＳブロックの最大数（Ｌ）はキャリア周波数に依拠しなくてよく、たとえば、
異なる周波数範囲に関するＳＳバーストセットの内部のＳＳブロックの最大数（Ｌ）は以下のようになる。
・３ＧＨｚまでの周波数範囲については、Ｌは４である。
・３ＧＨｚ〜６ＧＨｚの周波数範囲については、Ｌは８である。
・６ＧＨｚ〜５２．６ＧＨｚの周波数範囲については、Ｌは６４である。
【００１３】
ＳＳバーストセット：１つまたは複数のＳＳバーストはＳＳバーストセット（またはシリーズ）をさらに構成し、ＳＳバーストセットの内部のＳＳバーストの数は有限である。物理レイヤ規格の観点から、ＳＳバーストセットの少なくとも１つの周期性がサポートされる。ＵＥの観点から、ＳＳバーストセットの送信は周期的である。少なくとも初期のセル選択については、ＵＥは、所与のキャリア周波数に関するＳＳバーストセット送信のデフォルト周期（たとえば５ミリ秒、１０ミリ秒、２０ミリ秒、４０ミリ秒、８０ミリ秒、または１６０ミリ秒のうちの１つ）を想定してよい。ＵＥは、所与のＳＳブロックがＳＳバーストセットの周期で繰り返されると想定してよい。デフォルトで、ＵＥは、ｇＮＢが同数の物理ビームを送信することやＳＳバーストセットの内部の異なるＳＳブロックにわたって同一の物理ビームを送信することは、想定しなくてよい。特殊なケースでは、ＳＳバーストセットは１つのＳＳバーストを含み得る。
【００１４】
各キャリアについて、ＳＳブロックは時間調整されるかまたは全面的もしくは少なくとも部分的にオーバラップしてよく、または（たとえば別々のセルにおいて送信されるＳＳブロックの実際の数が異なるとき）ＳＳブロックの先頭が時間調整されてよい。
（最初のＮＲ規格がまだ準備ができていないので、ＳＳブロックの概念に関して３ＧＰＰ技術仕様書に取り込まれる最終的な用語は、この段落のものと正確に同一ではない可能性があることに留意されたい）。
【００１５】
図６は、ＳＳブロック、ＳＳバーストおよびＳＳバーストセット／シリーズの例示の設定を表現するものである。
バーストセットの内部のすべてのＳＳブロックは５ミリ秒のウィンドウの範囲内にあるが、そのようなウィンドウの範囲内のＳＳブロックの数は数秘学に依拠する（たとえば２４０ｋＨｚのサブキャリア間隔ではＳＳブロックは６４までである）。
【００１６】
ＵＥは、ＳＳブロックに基づいて、セル識別、無線測定、ＲＬＭ、システム情報読取りなどを実施してよい。ＵＥは、
・周波数内ＳＳブロックを受信して、サービングセル（複数可）および周波数内隣接セルのために、対応する周波数内動作を実施し（キャリアアグリゲーションまたはデュアルコネクティビティにおいて、ＵＥは１つまたは複数のサービングセルを有し得る）、
・周波数間ＳＳブロックを受信して、周波数間隣接セルのために、対応する周波数間動作を実施する。
【００１７】
周波数内測定および周波数間測定は以下のように規定される。
・ＳＳＢベースの周波数内測定：測定用に指示されたサービングセルのＳＳＢの中心周波数と隣接セルのＳＳＢの中心周波数とが同一であって、２つのＳＳＢのサブキャリア間隔も同一であれば、測定はＳＳＢベースの周波数内測定であると規定される。
・ＳＳＢベースの周波数間測定：測定用に指示されたサービングセルのＳＳＢの中心周波数と隣接セルのＳＳＢの中心周波数とが異なる、または２つのＳＳＢのサブキャリア間隔も異なるものであれば、測定はＳＳＢベースの周波数間測定であると規定される。
【００１８】
ＳＳブロックは特定のビームに関連づけられてよく、たとえばＳＳブロック＃ｘはビーム＃ｙによって送信される。
【発明の概要】
【００１９】
本明細書の実施形態の発現の一部分として、最初にビットマップ解決策の問題が識別されて論じられる。
【００２０】
ＳＳバーストセットの内部のＳＳブロックのうちのいくつかは、実際には、あらかじめ規定されたロケーションにおいて送信されないことがある。ＵＥは、サービングセルの実際に送信されたＳＳブロックを認識し得るが他のセルのものは認識し得ず、他のセルは、同一のキャリア周波数上のものばかりでなく異なるキャリア周波数上のものも、実際に送信されるＳＳブロックの異なるセットを有し得、これらは今のところＵＥによって認識され得ない。その上、ＳＳブロックバーストセットは、同一のセルのための複数の周波数上で送信され得る（これらはセルごとの複数のＳＳブロックと記述されることもある）。
・セルごとの複数のＳＳブロックの場合、実際に送信されるＳＳブロックのセットについては、今のところ不明確である。
・ＵＥは、隣接セルを識別するかまたは測定するとき、実際に送信されたＳＳブロックを認識していなければ、すべての候補のＳＳブロックのロケーションを通り抜けながら、５ミリ秒のウィンドウの範囲内で盲目的または半盲目的にすべてのＳＳブロックを検知しなければならない。送信されたＳＳブロックは、（たとえばＳＳブロックが反対方向に向かうビームによって送信される場合）信号レベルが低いためにＵＥによってまだ検知されていないとしても、送信されていないＳＳブロックの検知を試行することはＵＥリソースおよび時間の浪費であり、このことは、たとえばより高い周波数範囲においてＳＳブロックの数が６４までと多いときには特に重要である。その上、ＵＥは、すべてのセルにおける同一のＳＳブロックパターンを想定することができないので、周波数内または周波数間の各セルについて測定するために、検知を試行しなければならないはずである。
・ＵＥにサーブしているＢＳは、隣接ＢＳのＳＳブロック送信パターンまたはビーム送信パターンを認識しない。そのゆえに、サービングＢＳが設定する、セルごとに報告されるべきビームの測定情報の最大数、セルの品質を導出するためのビーム測定の最大数など、検知可能な隣接セルにおけるビーム数の関数であり得る測定設定におけるいくつかのセッティングが、サービングＢＳによって適切に調整され得ない。ＢＳは、たとえば、ＵＥの複雑さを緩和して測定／検知をより高速にするための、ＵＥによる隣接セルの識別または測定も支援し得ず、
・今のところ、ＵＥは、測位測定を実施するとき、たとえば測位ノードといったコアネットワークから実際に送信されたＳＳブロックに関する情報を受信することができない。
・コアネットワークノード（測位ノード）は、測位用に使用され得る無線信号を送信している無線ＢＳのＳＳブロックまたはビームの送信パターンを認識しておらず、よって、隣接セルを包含する測位測定を実施するように要求されたＵＥがＳＳブロックの実際の送信の有無を認識するのを、支援することができない。したがって、ＵＥは、測位測定を実施する前にまず信号を正確に検知する必要があり、多くの隣接セルに対して測定しなければならないとき、これは信号品質が低いと複雑になる（たとえば、ＬＴＥでは、ＵＥは−１３ｄＢまで測定可能であるものとされている）。
【００２１】
本明細書の実施形態の目的は、無線通信ネットワークにおける近隣セルの設定を管理するやり方を改善することである。
【００２２】
本明細書の実施形態の第１の態様によれば、この目的は、無線通信ネットワークにおける近隣セルの設定を管理するために第１のネットワークノードによって実施される方法によって達成される。第１のネットワークノードおよび第３のネットワークノードは無線通信ネットワークにおいて動作する。第１のネットワークノードは、第３のネットワークノードによって送信された１つまたは複数の送信が実際に送信されたか否かを指示するパターンを含む設定を取得する。送信は、同期信号（ＳＳ）ブロックおよびビームのいずれかを含む。
第１のネットワークノードは、次いで、受信された設定すなわち取得された設定に基づいて近隣セルの設定を管理する。
【００２３】
本明細書の実施形態の別の態様によれば、この目的は、無線通信ネットワークにおける近隣セルの設定をハンドリングするためにユーザ機器（ＵＥ）によって実施される方法によって達成される。ＵＥ、第１のネットワークノード、および第３のネットワークノードは、無線通信ネットワークにおいて動作する。ＵＥは、第３のネットワークノードによって送信された１つまたは複数の送信が実際に送信されたか否かを指示するパターンを含む設定を取得する。送信は、同期信号（ＳＳ）ブロックおよびビームのいずれかを含む。ＵＥは、次いで、第１のネットワークノードに設定を送る。
【００２４】
本明細書の実施形態の別の態様によれば、この目的は、無線通信ネットワークにおける近隣セルの設定を管理するために第２のネットワークノードによって実施される方法によって達成される。第１のネットワークノード、第２のネットワークノードおよび第３のネットワークノードは無線通信ネットワークにおいて動作する。第２ネットワークノードは、第１のネットワークノードから、第３のネットワークノードによって送信された１つまたは複数の送信が実際に送信されたか否かを指示するパターンを含む設定を受信する。送信は、同期信号（ＳＳ）ブロックおよびビームのいずれかを含む。
第２のネットワークノードは、次いで、受信した設定に基づいて近隣セルの設定を管理する。
【００２５】
本明細書の実施形態の別の態様によれば、この目的は、無線通信ネットワーク通信システムにおける近隣セルの設定を管理するために第１のネットワークノードによって達成される。第１のネットワークノードおよび第３のネットワークノードは無線通信ネットワークにおいて動作可能である。第１のネットワークノードは、第３のネットワークノードによって送信された１つまたは複数の送信が実際に送信されたか否かを指示するパターンを含む設定を取得するように設定されており、送信は、同期信号（ＳＳ）ブロックおよびビームのいずれかを含むように適合され、第２のネットワークノードに設定を送る。
【００２６】
本明細書の実施形態の別の態様によれば、この目的は、無線通信ネットワークにおける近隣セルの設定をハンドリングするためにユーザ機器（ＵＥ）によって達成される。ＵＥ、第１のネットワークノード、および第３のネットワークノードは、無線通信ネットワークにおいて動作可能である。ＵＥ１２０は、第３のネットワークノードによって送信された１つまたは複数の送信が実際に送信されたか否かを指示するパターンを含むように適合された設定を取得するように設定されており、送信は、同期信号（ＳＳ）ブロックおよびビームのいずれかを含むように適合され、第１のネットワークノードに設定を送る。
【００２７】
本明細書の実施形態の別の態様によれば、この目的は、無線通信ネットワークにおける近隣セルの設定をハンドリングするために第２のネットワークノードによって達成され、第１のネットワークノード、第２のネットワークノードおよび第３のネットワークノードは無線通信ネットワークにおいて動作可能である。第２ネットワークノードは、第１のネットワークノードから、第３のネットワークノードによって送信された１つまたは複数の送信が実際に送信されたか否かを指示するパターンを含むように適合された設定を受信するように設定されており、送信は、同期信号（ＳＳ）ブロックおよびビームのいずれかを含み、受信された設定に基づいて近隣セルの設定を管理するように適合される。
【００２８】
本明細書の実施形態の例が、添付図を参照しながら、より詳細に説明される。
【図面の簡単な説明】
【００２９】
【図１】従来技術を図示する概略ブロック図である。
【図２】従来技術を図示する概略ブロック図である。
【図３】従来技術を図示する概略ブロック図である。
【図４】従来技術を図示する概略ブロック図である。
【図５】従来技術を図示する概略ブロック図である。
【図６】従来技術を図示する概略ブロック図である。
【図７】無線通信ネットワークの実施形態を図示する概略ブロック図である。
【図８】第１のネットワークノードにおける方法の実施形態を表現する流れ図である。
【図９】ＵＥにおける方法の実施形態を表現する流れ図である。
【図１０】第２のネットワークノードにおける方法の実施形態を表現する流れ図である。
【図１１】第１のネットワークノードの実施形態を図示する概略ブロック図である。
【図１２】ＵＥの実施形態を図示する概略ブロック図である。
【図１３】第２のネットワークノードの実施形態を図示する概略ブロック図である。
【図１４】中間ネットワークを介してホストコンピュータに接続された電気通信ネットワークの概略図である。
【図１５】部分的無線接続によって、基地局を通じてユーザ機器と通信するホストコンピュータの一般化されたブロック図である。
【図１６】ホストコンピュータ、基地局およびユーザ機器を含む通信システムにおいて実施される方法の流れ図である。
【図１７】ホストコンピュータ、基地局およびユーザ機器を含む通信システムにおいて実施される方法の流れ図である。
【図１８】ホストコンピュータ、基地局およびユーザ機器を含む通信システムにおいて実施される方法の流れ図である。
【図１９】ホストコンピュータ、基地局およびユーザ機器を含む通信システムにおいて実施される方法の流れ図である。
【発明を実施するための形態】
【００３０】
第１の実施形態によれば、たとえば第１の基地局（ＢＳ）といった第１のネットワークノードは、たとえば第２のＢＳ、コアネットワークノード、および／または測位ノードといった第２のネットワークノードに対して、たとえば第１のＢＳまたは第３のＢＳといった第３のネットワークノードによって送信されるＳＳブロックまたはビームのうち、
・実際に送信されたものおよび／または実際には送信されなかったもの（たとえば送信パターン）、ならびに／あるいは
・たとえば、常に同一の送信パターンまたは送信パターンのサブセットのいずれかである測定パターン、ＵＥ測定に利用可能なものおよび／または利用不能なもの（すなわち、これが送信されなければＳＳブロックやビームが測定され得ない）を指示する、１つまたはグループのパターンを含むＳＳブロックまたはビーム設定を供給するかまたは指示する。たとえば、いくつかのＳＳブロックまたはビームは送信され得るが、大きな干渉が生じやすく、またはいくつかの他の理由のためにＵＥ測定用に適切ではないことがある。
【００３１】
したがって、第１の実施形態によれば、第１のネットワークノードは、第２のネットワークノードに、第３のネットワークノードによって送信されるＳＳブロックまたはビームのうち、・実際に送信されたものおよび／または実際には送信されなかったもの、ならびに／あるいは、・ＵＥ測定用に利用可能なものおよび／または利用不能なもの、を指示する１つまたはグループのパターンを含むＳＳブロックまたはビーム設定を供給するかまたは指示する。
【００３２】
実際に送信されたＳＳＢまたは測定用に利用可能なＳＳＢは、周波数ごとまたはセルごとのものであり得る。
または、ＳＳＢの周波数ごとの指示と、追加の、ＳＳＢのセルごとの指示との組合せがあり得る。
【００３３】
別の実施形態によれば、第１のネットワークノードがＵＥから受信するＳＳブロックまたはビーム設定は、ＳＳブロックまたはビームのうちの第３のネットワークノードによって送信されたものを指示する１つまたはグループのパターンを含む。
【００３４】
本明細書の実施形態は次の利点を提供し得る。
ネットワークノードなどのサービングＢＳは、所与のセルおよび／または所与の測定対象のセルに関するＳＳＢおよび／またはビーム設定（たとえば送信ビームの数、使用されている公称のＳＳＢ位置など）を知ることにより、セルの品質を導出するために平均化されるビーム測定の最大数または報告されるビームの最大数などの適切なビーム関連パラメータを用いてＵＥを設定し得る。
【００３５】
「測定対象」は、本明細書で使用されたとき、たとえばＵＥに対する無線リソース管理（ＲＲＭ）測定に関連したネットワーク設定を意味し、これは、たとえば測定するターゲット周波数および測定を実施するためのある特定の補助情報を記述するものである。
ネットワークが隣接セルにおいて実際に送信されたＳＳブロックについてＵＥに通知すれば、ＵＥの複雑さおよびリソース消費がかなり低減され得る。
【００３６】
本明細書の例示の実施形態のうちのいくつかは、隣接セルのＳＳブロック設定を管理するための方法に関するものである。
【００３７】
用語
いくつかの実施形態では、「ＵＥ」という非限定的な用語が使用される。本明細書のＵＥは、無線信号によって、ネットワークノードまたは別のＵＥと通信することができる任意のタイプの無線デバイスでよい。ＵＥは、無線通信デバイス、ターゲットデバイス、デバイスツーデバイス（Ｄ２Ｄ）ＵＥ、マシンタイプＵＥまたはマシンツーマシン（Ｍ２Ｍ）通信が可能なＵＥ、センサを装備したＵＥ、ｉＰＡＤ、タブレット、モバイル端末、スマートフォン、ラップトップコンピュータを組み込んだ機器（ＬＥＥ）、ラップトップコンピュータを搭載した機器（ＬＭＥ）、ＵＳＢドングル、顧客宅内機器など（ＣＰＥ）でもよい。
また、いくつかの実施形態では、「ネットワークノード」という一般的な用語が使用される。これは、基地局、無線基地局、ベーストランシーバ局、基地局コントローラ、ネットワークコントローラ、マルチスタンダード無線ＢＳ、ｇＮＢ、ＮＲ  ＢＳ、エボルブドノードＢ（ｅＮＢ）、ノードＢ、マルチセル／マルチキャスト協調エンティティ（ＭＣＥ）、中継ノード、アクセスポイント、無線アクセスポイント、リモートラジオユニット（ＲＲＵ）のリモート無線ヘッド（ＲＲＨ）、マルチスタンダードＢＳ（別名ＭＳＲ  ＢＳ）、コアネットワークノード（たとえばＭＭＥ、ＳＯＮノード、協調ノード、測位ノード、ＭＤＴノードなど）、さらには外部ノード（たとえば、サードパーティノード、現行のネットワークの外のノード）、などの無線ネットワークノードからなる任意の種類のネットワークノードでよい。ネットワークノードは試験用機器も備え得る。
「ＢＳ」という用語は、たとえばｇＮＢもしくはｎｒ−ｅＮＢもしくは中継ノード、または実施形態に準拠している任意のＢＳを含み得る。
本明細書で使用される「無線ノード」という用語は、ＵＥまたは無線ネットワークノードを表すように使用されてよい。
本明細書で使用される「シグナリング」という用語は、（たとえばＲＲＣ等を介しての）上位層シグナリング、（たとえば物理的制御チャネルまたはブロードキャストされるチャネルを介しての）下位層シグナリング、またはその組合せのうちの任意のものを含み得る。シグナリングは暗示的でも明示的でもよい。シグナリングは、さらに、ユニキャスト、マルチキャストまたはブロードキャストでよい。シグナリングは、別のノードに対して直接行われてよく、または第３のノードを介して行われてもよい。
本明細書で使用される「無線測定」という用語は、無線信号に対して実施される任意の測定を指し得る。無線測定は絶対的でも相対的でもよい。無線測定は、信号品質および／または信号強度であり得る信号レベルと称されてよい。無線測定は、たとえば周波数内測定、周波数間測定、ＲＡＴ間測定、ＣＡ測定などでよい。無線測定は一方向（たとえばＤＬまたはＵＬ）でも双方向（たとえばＲＴＴ、Ｒｘ−Ｔｘなど）でもよい。無線測定のいくつかの例には、タイミング測定（たとえばＴＯＡ、タイミングアドバンス、ＲＴＴ、ＲＳＴＤ、Ｒｘ−Ｔｘ、伝播遅延など）、角度測定（たとえば到来角）、電力ベースの測定（たとえば、受信信号電力、ＲＳＲＰ、受信信号品質、ＲＳＲＱ、ＳＩＮＲ、ＳＮＲ、干渉電力、ノイズを加えた全干渉、ＲＳＳＩ、ノイズ電力など）、セル検知またはセル識別、無線リンク監視（ＲＬＭ）、システム情報（ＳＩ）読取りなどがある。
キャリアに対する測定の実施は、キャリア上で動作している１つまたは複数のセルの信号に対する測定の実施、キャリアの信号に対する測定（別名キャリア特有の測定（たとえばＲＳＳＩ））の実施を示唆し得る。セルの特有の測定またはビーム特有の測定の例には、信号強度、信号品質などがある。
本明細書で使用される測定性能という用語は、無線ノードによって実施される測定の性能を特徴づける任意の基準またはメトリックを指し得る。測定性能という用語は、測定要件、測定性能要件などとも称される。無線ノードは、実施される測定に関連した１つまたは複数の測定性能基準を満たす必要がある。測定性能基準の例には、測定時間、測定時間で測定するべきセルの数、測定報告遅延、測定精度、基準値に対する測定精度（たとえば理想的な測定結果）などがある。測定時間の例には、測定期間、セル検知またはセル識別の期間、評価期間、ビーム検知またはビーム識別の期間などがある。
ここでの数秘学という用語は、サブキャリア間隔、帯域幅内のサブキャリアの数、リソースブロックサイズ、シンボル長、ＣＰ長などのうちの任意のものまたはこれらの組合せを含み得る。特定の非限定的な例では、数秘学は、７．５ｋＨｚ、１５ｋＨｚ、３０ｋＨｚ、６０ｋＨｚ、１２０ｋＨｚ、または２４０ｋＨｚのサブキャリア間隔を含む。別の例では、数秘学は、３０ｋＨｚ以上のサブキャリア間隔を伴って使用され得るＣＰ長である。
【００３８】
本明細書の実施形態は、一般に無線通信ネットワークに関するものである。図７は無線通信ネットワーク１００を表現する概略図である。無線通信ネットワーク１００はＮＲを使用してよいが、少し例を挙げるだけでも、５Ｇ、ＮＢ−ＩｏＴ、ＣＡＴ−Ｍ、Ｗｉ−Ｆｉ、ｅＭＴＣ、Ｌｏｎｇ  Ｔｅｒｍ  Ｅｖｏｌｕｔｉｏｎ（ＬＴＥ）、ＬＴＥ−Ａｄｖａｎｃｅｄ広帯域符号分割多元接続（ＷＣＤＭＡ）、汎欧州デジタル移動電話方式／ＧＳＭエボリューション用拡張データレート（ＧＳＭ／ＥＤＧＥ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、またはウルトラモバイルブロードバンド（ＵＭＢ）など、複数の異なる技術をさらに使用し得る。
【００３９】
ネットワークノードは、地理的エリアにわたる無線カバレッジを提供する第１のネットワークノード１１１、それぞれの地理的エリアにわたる無線カバレッジを提供するセル１１、第２のネットワークノード１１２および第３のネットワークノード１１３、ＵＥにサーブするセル１１、セル１２、セル１３などの無線通信ネットワーク１００において動作する。いくつかの実施形態では、第３のネットワークノード１１３は第１のネットワークノード１１１と同一のネットワークノードである。セル１１、１２および１３は、サービスエリア、ビームまたはビームのグループとも称され得る。ネットワークノード１１１、１１２、１１３は、たとえば前述の用語によれば送信および受信のポイントでよい。ネットワークノード１１１、１１２、１１３は、ＵＥへのダウンリンク（ＤＬ）送信およびＵＥからのアップリンク（ＵＬ）送信にサーブする任意のＵＥと通信し得る。
【００４０】
たとえばＵＥ１２０などの無線デバイスは、無線通信ネットワーク１００において動作する。ＵＥ１２０は、たとえば、ＮＲデバイス、移動局、無線端末、ＮＢ−ＩｏＴデバイス、ｅＭＴＣデバイス、ＣＡＴ−Ｍデバイス、Ｗｉ−Ｆｉデバイス、ＬＴＥデバイス、および非アクセスポイント（非ＡＰ）ＳＴＡ、ＳＴＡなど、上記で言及された用語によるデバイスであり、たとえばネットワークノード１１１、たとえばＲＡＮといった１つまたは複数のアクセスネットワーク（ＡＮ）などの基地局を介して、１つまたは複数のコアネットワーク（ＣＮ）と通信する。「ＵＥ」は、任意の端末、無線通信端末、ユーザ機器、デバイスツーデバイス（Ｄ２Ｄ）端末、またはたとえばスマートフォン、ラップトップコンピュータ、携帯電話、センサ、中継器、モバイルタブレット、さらにはセルの内部で通信する小さな基地局といったノードを意味する非限定的な用語であることが当業者には理解されるはずである。
【００４１】
本明細書の実施形態による方法は、ネットワークノード１１１によって実施され得る。代替形態として、たとえば図７に示されるようなクラウド１４０に含まれる分散形ノード（ＤＮ）と機能性とが、この方法を実施するかまたは部分的に実施するために使用され得る。
【００４２】
次に、たとえばＮＲ通信システムといった無線通信ネットワーク１００における隣接セルの、たとえばＳＳブロック設定などの設定を管理するために、第１のネットワークノード１１１によって実施される方法の例示的実施形態が、図８に表現された流れ図を参照しながら説明される。第１のネットワークノード１１１と、第３のネットワークノード１１３と、いくつかの実施形態では第２のネットワークノード１１２とが、無線通信ネットワーク１００において動作する。いくつかの実施形態では、第３のネットワークノード１１３は第１のネットワークノード１１１と同一のネットワークノードであることに留意されたい。
いくつかの関連した実施形態が、この文献において後で説明される。
この方法は、任意の適切な順番で採用され得る以下アクションのうちの１つまたは複数を含み得る。
【００４３】
つまり、この方法は以下のアクションのうちの１つまたは複数を含む。
アクション８０１において、第１のネットワークノード１１１は、第３のネットワークノード１１３によって送信された１つまたは複数の送信が実際に送信されたか否かを指示するパターンを含む設定を取得し、送信は、同期信号（ＳＳ）ブロックおよびビームのいずれかを含む。
アクション８０２において、第１のネットワークノード１１１は第２のネットワークノード１１２に設定を送る。
【００４４】
より詳細には、この方法は以下のアクションのうちの１つまたは複数を含む。アクションは、方法のアクションの後の段落において、またさらに説明される。
【００４５】
アクション８０１
第１のネットワークノード１１１は、第３のネットワークノード１１３によって送信された１つまたは複数の送信が実際に送信されたか否かを指示するパターンを含む設定を取得する（受信するとも言われる）。送信は、ＳＳブロックまたはビームのいずれかを含む。
パターンは、１つのパターンおよびパターンのグループのいずれかを含み得る。したがって、パターンは、１つのパターンまたはパターンのグループを含み得る。
パターンは、送信パターンおよびＵＥ測定パターンのいずれかを含み得る。したがって、パターンは、送信パターンまたはＵＥ測定パターンであり得る。
１つまたは複数の送信が実際に送信されたか否かを指示するパターンは、いくつかの実施形態では、１つまたは複数の送信がＵＥ測定のために実際に利用可能か否かを指示するパターンによって表現され得る。
設定は、ＳＳブロック設定およびビーム設定のうちの任意の１つまたは複数のものであり得る。したがって、設定はＳＳブロック設定またはビーム設定でよい。
取得される設定は、第１のネットワークノード１１１によって決定されること、１つまたは複数のＵＥ１２０から受信されること、および第３のネットワークノード１１３から受信されること、のいずれかによって取得されてよい。したがって、取得される設定は、第１のネットワークノード１１１によって決定されること、１つまたは複数のＵＥ１２０から受信されること、または第３のネットワークノード１１３から受信されることによって取得され得る。
【００４６】
アクション８０２
第１のネットワークノード１１１は、次いで、取得された設定とも称され得る受信された設定に基づいて近隣セルの設定を管理する。
受信された設定に基づく近隣セルの設定の管理は、
−  受信された設定のすべてまたは一部分を別のネットワークノードに送ること、
−  受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定のためにＳＳＢのセットを設定すること、
−  １つまたは複数のＵＥに関する測定ギャップを設定すること、
−  １つまたは複数の独自の送信を設定すること、
−  セルのセットのすべてまたは少なくともＮ個のセルによって実際に送信されたＳＳＢの共通セットを判定すること、
−  セルのセットのうちのセルのいずれによっても送信されなかったＳＳＢの共通セットを判定すること、
−  ＳＳＢがたとえば干渉する隣接セルにおいて送信されたか否かということに基づいて負荷特性またはメトリックを判定すること、または
−  前述のように無線通信ネットワーク１００において動作する第２のネットワークノード１１２に設定を送ることのうちの１つまたは複数を実施することを含み得る。
【００４７】
次に、たとえばＮＲ通信システムといった無線通信ネットワーク１００における隣接セルの、たとえばＳＳブロック設定などの設定をハンドリングするために、ＵＥ１２０によって実施される方法の例示的実施形態が、図９に表現された流れ図を参照しながら説明される。ＵＥ１２０、第１のネットワークノード１１１、および第３のネットワークノード１１３は、無線通信ネットワーク１００において動作する。
いくつかの関連した実施形態が、この文献において後で説明される。
この方法は、任意の適切な順番で採用され得る以下のアクションのうちの１つまたは複数を含み得る。
【００４８】
つまり、この方法は以下のアクションのうちの１つまたは複数を含む。
アクション９０１において、ＵＥ１２０は、同期信号（ＳＳ）ブロックおよびビームのいずれかを含む、第３のネットワークノード１１３によって送信された１つまたは複数の送信が実際に送信されたか否かを指示するパターンを含む設定を取得する。
アクション９０２において、ＵＥ１２０は第１のネットワークノード１１２に設定を送る。
【００４９】
より詳細には、この方法は以下のアクションのうちの１つまたは複数を含む。アクションは、方法のアクションの後の段落において、またさらに説明される。
【００５０】
アクション９０１
ＵＥ１２０は、第３のネットワークノード１１３によって送信された１つまたは複数の送信が実際に送信されたか否かを指示するパターンを含む設定を取得する。送信は、ＳＳブロックおよびビームのいずれかを含む。
取得された設定は、ＵＥ１２０によって決定されること、および第３のネットワークノード１１３から受信されることのいずれかによって取得され得る。したがって、設定は、ＵＥ１２０によって決定されるかまたは第３のネットワークノード１１３から受信されることによって取得され得る。
パターンは、１つのパターンおよびパターンのグループのいずれかを含み得る。したがって、パターンは、１つのパターンまたはパターンのグループを含み得る。
パターンは、送信パターンおよびＵＥ測定パターンのいずれかを含み得る。したがって、パターンは、送信パターンまたはＵＥ測定パターンであり得る。
１つまたは複数の送信が実際に送信されたか否かを指示するパターンは、いくつかの実施形態では、１つまたは複数の送信がＵＥ測定のために実際に利用可能か否かを指示するパターンによって表現され得る。
設定は、ＳＳブロック設定およびビーム設定のうちの任意の１つまたは複数であり得る。したがって、設定はＳＳブロック設定またはビーム設定でよい。
【００５１】
アクション９０２
ＵＥ１２０は、次いで、第１のネットワークノード１１１に設定を送る。
【００５２】
次に、たとえば新無線（ＮＲ）通信システムといった無線通信ネットワーク１００における隣接セルの、たとえばＳＳブロック設定などの設定を管理するために、第２のネットワークノード１１２によって実施される方法の例示的実施形態が、図１０に表現された流れ図を参照しながら説明される。第１のネットワークノード１１１、第２のネットワークノード１１２および第３のネットワークノード１１３は、無線通信ネットワーク１００において動作する。
いくつかの関連した実施形態が、この文献において後で説明される。
この方法は、任意の適切な順番で採用され得る以下のアクションのうちの１つまたは複数を含み得る。
【００５３】
つまり、この方法は以下のアクションのうちの１つまたは複数を含む。
アクション１００１において、第２のネットワークノード１１２は、第１のネットワークノード１１１から、同期信号（ＳＳ）ブロックおよびビームのいずれかを含む、第３のネットワークノード１１３によって送信された１つまたは複数の送信が実際に送信されたか否かを指示するパターンを含む設定を受信する。
アクション１００２において、第２のネットワークノード１１２は、受信した設定に基づいて近隣セルの設定を管理する。
【００５４】
より詳細には、この方法は以下のアクションのうちの１つまたは複数を含む。以下のアクションは、方法のアクションの後の段落において、またさらに説明される。
【００５５】
アクション１００１
第２のネットワークノード１１２は、第１のネットワークノード１１１から設定を受信する。設定は、第３のネットワークノード１１３によって送信された１つまたは複数の送信が実際に送信されたか否かを指示するパターンを含む。送信は、ＳＳブロックおよびビームのいずれかを含む。したがって、送信はＳＳブロックまたはビームを含む。
パターンは、１つのパターンおよびパターンのグループのいずれかを含み得る。したがって、パターンは、１つのパターンまたはパターンのグループを含み得る。
パターンは、送信パターンおよびＵＥ測定パターンのいずれかを含み得る。したがって、パターンは、送信パターンまたはＵＥ測定パターンであり得る。
１つまたは複数の送信が実際に送信されたか否かを指示するパターンは、いくつかの実施形態では、１つまたは複数の送信がＵＥ測定のために実際に利用可能か否かを指示するパターンによって表現され得る。
設定は、ＳＳブロック設定およびビーム設定のうちの任意の１つまたは複数であり得る。したがって、受信される設定はＳＳブロック設定またはビーム設定でよい。
【００５６】
アクション１００２
第２のネットワークノード１１２は、次いで、受信した設定に基づいて近隣セルの設定を管理する。
受信された設定に基づく近隣セルの設定の管理は、
−  受信された設定のすべてまたは一部分を別のネットワークノードに送ること、
−  受信された設定のすべてまたは一部分を１つまたは複数のＵＥに送ること、
−  測定ギャップを設定すること、
−  測定サイクルを設定すること、
−  ＤＲＸを設定すること、
−  １つまたは複数の測定対象を更新すること、
−  １つまたは複数のＵＥに関する設定を報告すること、
−  測定のためにＳＳＢのセットを設定すること、
−  １つまたは複数のＵＥに関する測定ギャップを設定すること、
−  １つまたは複数の独自の送信を設定すること、
−  セルのセットのすべてまたは少なくともＮ個のセルによって実際に送信されたＳＳＢの共通セットを判定すること、
−  セルのセットのうちのセルのいずれによっても送信されなかったＳＳＢの共通セットを判定すること、
−  隣接セルにおいてＳＳＢが送信されたか否かということに基づいて負荷特性またはメトリックを判定すること、および
−  隣接セルにおいてＳＳＢが送信されたか否かということに基づいて負荷特性またはメトリックを判定すること、のうちの１つまたは複数を実施することを含み得る。
【００５７】
次に、本明細書の実施形態がさらに説明され、例示される。
【００５８】
ＳＳブロックおよびビーム設定の通信。
ネットワークノード間で
いくつかの第１の実施形態によれば、第１のネットワークノード１１１（たとえば第１のＢＳ）は、第２のネットワークノード１１２（たとえば第２のＢＳ、コアネットワークノード、測位ノード）に対して、第３のネットワークノード１１３（たとえば第１のＢＳまたは第３のＢＳ）によって送信されるＳＳブロックまたはビームのうち、
・実際に送信されたものおよび／または実際には送信されなかったもの（たとえば送信パターン）、ならびに／あるいは
・ＵＥ測定に利用可能なものおよび／または利用不能なもの（たとえば、常に同一の送信パターンまたは送信パターンのサブセットのいずれかである測定パターン（すなわち、これが送信されなければＳＳブロックやビームが測定され得ない）であり、たとえば、いくつかのＳＳブロックまたはビームは送信され得るが、大きな干渉が生じやすく、またはいくつかの他の理由のためにＵＥ測定用に適切ではないことがある）を指示する、１つまたはグループのパターンを含むＳＳブロックまたはビーム設定を取得して、たとえば供給するかまたは指示する。
したがって、第１の実施形態によれば、第１のネットワークノード１１１は、第２のネットワークノード１１２に、第３のネットワークノード１１３によって送信されるＳＳブロックまたはビームのうち、
・実際に送信されたものおよび／または実際には送信されなかったもの、ならびに／あるいは、・ＵＥ測定用に利用可能なものおよび／または利用不能なもの、を指示する１つまたはグループのパターンを含むＳＳブロックまたはビーム設定を供給するかまたは指示する。
【００５９】
一例では、第３のネットワークノード１１３は第１のネットワークノードと同一でよい。別の例では、第３のネットワークノード１１３は、第１のネットワークノード１１１や第２のネットワークノード１１２とは異なるものでよく、この場合、第１のネットワークノード１１１は、上記の設定を、第２のネットワークノード１１２に、（たとえば第２のネットワークノードに対して透過的または非透過的に）転送するか、中継するか、または再送信してよい。
【００６０】
この設定は、上記の例において、第３のネットワークノード１１３に関する設定の判定がＵＥ測定に基づくとき、第１のネットワークノード１１１が当てにする、たとえばＳＳブロック＃０、＃１、および＃３といった実際のＳＳブロックの送信も指示し得る。
【００６１】
第１のネットワークノード１１１、第２のネットワークノード１１２および第３のネットワークノード１１３のさらにいくつかの例には、たとえば運用および保守（Ｏ＆Ｍ）または自己組織化ネットワーク（ＳＯＮ）、測位ノードといった、ＢＳ、中継器、コアネットワークノードがあり、たとえば設定を、
・たとえばＸｎインターフェースを介して、ＢＳから送るか、またはＢＳへ中継する、
・ＢＳから送るか、または中継器へ中継する、
・ＢＳから送るか、またはコアネットワークノードへ中継する、
・ＢＳまたはコアネットワークノードから測位ノードへ送る、
・コアネットワークノードから測位ノードへ送る、
・サービングＢＳからハンドオーバターゲットＢＳへ送る、
・サービングＢＳからコアネットワークノードまたは測位ノードへ送る。
【００６２】
いくつかの実施形態では、設定は、ＵＥに特有のもの、またはＵＥに特有の状況に関連したものであり得る。これは、特に、セルにおいて複数のＳＳブロックがたとえば異なる周波数で送信される可能性があるとき、ターゲットＢＳが、ハンドオーバにおいて、たとえば古いＢＳにおいてＵＥ測定向けに設定された特定のＳＳブロックの設定を認識し得るので、役に立つ。
【００６３】
別の実施形態では、たとえばセルにおいて複数のＳＳブロックが送信されないとき、または、セルにおいて複数のＳＳブロックが送信される場合には、このセルにおけるすべての周波数に対して、実際に送信されるＳＳブロックの同一のパターンが設定されるとき、設定はセルに特有であっていかなる特定のＵＥにも関連しないものでよい。
【００６４】
さらに別の実施形態では、設定などの情報がセルと周波数とに関連づけられ、たとえば、セルにおいて複数のＳＳブロックが送信されるとき、セルにおいて異なる周波数で実際に送信されるＳＳブロックの異なるパターンが可能になる。
【００６５】
第２のネットワークノード１１２から、第１のネットワークノード１１１に、第２のネットワークノード１１２が、セルに関連したＳＳＢおよび／またはビーム設定ならびに／あるいは第１のネットワークノード１１１の周波数を知りたがっていることを指示する「要求メッセージ」があり得る。
−  「要求メッセージ」は１つまたは複数の物理的セルアイデンティティ（ＰＣＩ）も含み得、そのため、第１のネットワークノード１１１は、第２のネットワークノード１１２がどのＰＣＩまたはセルのグローバルアイデンティティ（ＣＧＩ）および／または周波数についてＳＳＢおよび／またはビーム設定を知りたがっているのかが分かる。
−  「要求メッセージ」は１つまたは複数の測定対象も含み得、そのため、第１のネットワークノード１１１は、第２のネットワークノード１１２がどの測定対象についてＳＳＢおよび／またはビーム設定を知りたがっているのかが分かる。
−  「要求メッセージ」は、１つまたは複数の測定対象および／またはＰＣＩもしくはＣＧＩの組合せも含み得、そのため、第１のネットワークノード１１１は、第２のネットワークノード１１２がどの測定対象および／またはＰＣＩもしくはＣＧＩおよび／または周波数についてＳＳＢおよび／またはビーム設定を知りたがっているのかが分かる。
第１のネットワークノード１１１から、第２のネットワークノード１１２に、ＰＣＩもしくはＣＧＩおよび／または周波数ごとのＳＳＢおよび／またはビーム設定を指示する「応答メッセージ」があり得る。
−  このことは、第１のネットワークノード１１１に関連した、またはサブセットのみに関連した、すべての測定対象について行われてよい。
−  このことは、第１のノードに関連した、またはサブセットのみに関連した、すべてのＰＣＩもしくはＣＧＩおよび／または周波数について行われてよい。
−  このことは、第１のネットワークノード１１１に関連した、またはサブセットのみに関連した、測定対象および／またはＰＣＩもしくはＣＧＩおよび／または周波数の組合せについて行われてよい。
【００６６】
第２のネットワークノード１１２から、第１のネットワークノード１１１に、第２のネットワークノード１１２が、セルに関連したＳＳＢおよび／またはビーム設定の更新ならびに／あるいは第１のネットワークノードの周波数を取得したがっていることを指示する「更新要求メッセージ」があり得る。
−  「更新要求メッセージ」は１つまたは複数のＰＣＩもしくはＣＧＩおよび／または周波数も含み得、そのため、第１のネットワークノード１１１は、第２のネットワークノード１１２がどのセルおよび／または周波数についてＳＳＢおよび／またはビーム設定を知りたがっているのかが分かる。
−  「更新要求メッセージ」は１つまたは複数の測定対象も含み得、そのため、第１のネットワークノード１１１は、第２のネットワークノード１１２がどの測定対象についてＳＳＢおよび／またはビーム設定を知りたがっているのかが分かる。
−  「更新要求メッセージ」は、１つまたは複数の測定対象および／またはＰＣＩもしくはＣＧＩおよび／または周波数の組合せも含み得、そのため、第１のネットワークノード１１１は、第２のネットワークノード１１２がどの測定対象および／またはＰＣＩもしくはＣＧＩおよび／または周波数についてＳＳＢおよび／またはビーム設定を知りたがっているのかが分かる。
【００６７】
第１のネットワークノード１１１から、第２のネットワークノード１１２に、ＰＣＩもしくはＣＧＩおよび／または周波数ごとのＳＳＢおよび／またはビーム設定が変化したことを指示する「更新メッセージ」があり得る。
−  このことは、第１のネットワークノード１１１に関連した、またはサブセットのみに関連した、すべての測定対象について行われてよい。
−  このことは、第１のネットワークノード１１１に関連した、またはサブセットのみに関連した、すべてのＰＣＩもしくはＣＧＩおよび／または周波数について行われてよい。
−  このことは、第１のネットワークノード１１１に関連した、またはサブセットのみに関連した、測定対象および／またはＰＣＩもしくはＣＧＩおよび／または周波数の組合せについて行われてよい。
別の実施形態では、ＳＳＢおよび／またはビーム設定は、たとえばサービングセルおよび／またはターゲットセルにおける設定といった、ハンドオーバ関連のメッセージに含まれ得る。
【００６８】
ＵＥ１２０とネットワークノードの間で
別の実施形態によれば、第１のネットワークノード１１１がＵＥ１２０から受信するＳＳブロックまたはビーム設定は、第３のネットワークノード１１３によって送信されたＳＳブロックまたはビームを指示する１つまたはグループのパターンを含む。
【００６９】
第１のネットワークノード１１１および／または第３のネットワークノード１１３の例には以下のものがある。
・サービングＢＳおよび／または隣接ＢＳあるいはＳＳブロックを送信する任意のタイプの無線ネットワークノード
・コアネットワークノードおよび／またはＢＳあるいはＳＳブロックを送信する任意のタイプの無線ネットワークノード
・測位ノード（たとえばエボルブドサービングモバイルロケーションセンタ（Ｅ−ＳＭＬＣ）等）および／またはＢＳ、あるいはＳＳブロックを送信する任意のタイプの無線ネットワークノード
【００７０】
ＵＥ１２０は、たとえば判定することによって設定を取得してよく、自発的なやり方で、または第１のネットワークノードからの明示的または暗示的な要求があったとき設定を送り、かつ／または報告し得る。設定が含み得る公称ＳＳブロック位置のすべてまたはサブセットの各々についての指示は、対応するＳＳブロックが実際に送信されたか否かを指示する。サブセットは第１のノードによって要求されてよく、あるいはあらかじめ規定されたルールもしくは条件または信号の強度もしくは品質に基づいて判定され得る。
【００７１】
判定することなどの取得することは、第３のネットワークノード１１３からの公称の測位におけるＳＳブロックのＵＥ測定／検知の試み、あるいは第３のネットワークノード１１３からのたとえばシステム情報といったメッセージを読み取ることに基づき得る。
【００７２】
一例では、第１のネットワークノード１１１が、そのような設定を、たとえば測定設定またはシステム情報においてＵＥ１２０に供給しなかったとき、ＵＥ１２０は、判定された設定などの取得されたものを第１のネットワークノード１１１に送ってよく、第１のネットワークノード１１１は、たとえばＵＥ１２０から受信することによって設定を取得する。
【００７３】
別の例では、第１のネットワークノード１１１は、たとえば任意の検知されたセルまたは（たとえばセルアイデンティティによって識別された）特定のセルに関する設定を判定することを明示的に要求してよい。
別の例では、ＵＥ１２０は、第１のネットワークノード１１１により（たとえばＰＣＩを用いて設定することによって）、送信されるＳＳＢの数や使用される公称の位置などのＳＳブロックパターンまたは少なくとも１つの隣接セルのビーム設定を検知して第１のネットワークノード１１１に報告するように設定される。設定するためのやり方の１つには、ＵＥ１２０にＰＣＩが供給されるようにＣＧＩ報告設定を拡張することによるものがある。ＵＥ１２０は、これを基にＳＳＢパターンおよび／またはビーム設定を取得する。これは、たとえば供給されたＰＣＩに関連づけたセルからシステム情報メッセージを読み取ることによって実施され得る。ＵＥ１２０は、測定報告を、たとえばセルグローバル識別子、コアネットワーク情報、ＰＬＭＮ情報などの他の情報と一緒に第１のネットワークノード１１１に送る。ネットワークは、これらの情報を得ることにより、たとえばｇＮｏｄｅＢの間のＸｎインターフェースといったノード間インターフェースのセットアップをトリガし得る。ＵＥ１２０に対する設定手順は、第１のネットワークノード１１１が、所与のＰＣＩについてのＳＳＢおよび／またはビーム設定に関する情報を記憶していないと識別することにより、第１のネットワークノード１１１によって、ＵＥ１２０から所与のＰＣＩに関連した測定報告を受信したときトリガされる。
【００７４】
ネットワークという語は、本明細書で使用されたとき、第１のネットワークノード１１１、第２のネットワークノード１１２、第３のネットワークノード１１３のうちの任意の１つまたは複数を指し得る。ネットワークという語は、第１のネットワークノード１１１、第２のネットワークノード１１２、第３のネットワークノード１１３のうちの任意の１つまたは複数と区別なく使用される。
【００７５】
ＵＥ１２０が、すべての公称のロケーションにおけるＳＳブロックを検知することを試行して、この結果を報告するとき（たとえば、ＵＥ１２０は、うまく検知した各ＳＳブロックに関する測定を報告してよく、検知されなかったＳＳブロックについては報告しなくてよく、または、この公称のロケーションにおいてＳＳブロックが検知されなかったことを指示する、検知されなかったＳＳブロックに関するあらかじめ規定された値を報告してもよい）、ＳＳブロックは、送信されないため、またはＵＥ１２０のロケーションにおける信号品質が低すぎるために、検知されない可能性がある。第１のネットワークノード１１１は、そのようなＵＥ１２０の結果を受信することにより、少なくとも、送信されて測定結果が受信されたＳＳブロックは認識する。第１のネットワークノード１１１は、２つ以上のＵＥ１２０からの結果を組み合わせて、セルおよび／または周波数において実際に送信されたＳＳブロックを判定してもよい。
例：
・ＵＥ１２０がＳＳブロック＃０およびＳＳブロック＃３を検知して報告し、別のＵＥが同一のセルおよび／または周波数に関してＳＳブロック＃１を検出して報告し、このことから、第１のネットワークノード１１１は、少なくともＳＳブロック＃０、＃１、および＃３が送信され、ＳＳブロック＃２はまだ不確かであって、第３のネットワークノード１１３によって送信されていない可能性があると結論を出してよい。したがって、第１のネットワークノード１１１は、ＳＳブロック＃２が送信されていないと想定するＵＥ測定を設定してよい。
【００７６】
別の実施形態では、ＳＳＢおよび／またはビーム設定は、たとえばＵＥ１２０に通信された、またはＵＥ１２０から通信された、サービングセルおよび／またはターゲットセルにおける設定といった、ハンドオーバ関連のメッセージに含まれ得る。
【００７７】
さらに別の例示的実施形態は、現在のＳＳＢの周波数ごとの指示および／または測定に含めるべきＳＳＢと、前述の追加のセルごとの指示との組合せを含むことが想定される。情報は、たとえば、Ａ）存在するＳＳＢ、および存在するＳＳＢのうちの周波数ごとの測定において考慮に入れるべきものの指示（一種のデフォルト値であり（他の実施形態のものと同一あり得）、加えて部分を有する）と、Ｂ）同一の情報であるがセル特有のものであり、適用されるセルのリストであるが、存在するさらなるＳＳＢおよび／または測定において考慮に入れるべきＳＳＢを表すものとを含む。
このことは、周波数上に２つのタイプのセルがあり得、すべてが、周波数ごとのＳＳＢ指示を満たすが、いくつかのセルはさらなる存在するＳＳＢを有することを意味する。第１のネットワークノード１１１または第３のネットワークノード１１３などのネットワークは、ＵＥ１２０に対して、この情報を、周波数ごとのＳＳＢタイミング設定と、セルのリストに適用可能な第２のタイミング設定に関するセルごとのＳＳＢ指示とにおいて指示してよい。
前述のＡ）およびＢ）の情報は、上記で言及されたようにＵＥ１２０に与えられ得る。先験的技術として、周波数ごとにＳＳＢタイミングがあって情報Ａが追加される。次いで、セルのリストごとのＳＳＢタイミング（周波数ごとのタイミングを満たす必要があるが、さらなるＳＳＢ機会があり得る）があって情報Ｂが追加される。
ＳＳＢタイミング設定は、たとえば、サブフレーム番号、無線フレーム番号、スロット番号、たとえばＳＦＮ０またはフレーム境界もしくはサブフレーム境界といった基準時間に対するオフセットを含み得る。
【００７８】
ＳＳブロックおよびビーム設定の使用
第２のネットワークノード１１２または第１のネットワークノード１１１
ＳＳブロックまたはビーム設定は、第２のネットワークノード１１２によって第１のネットワークノード１１１から受信され、または、第１のネットワークノード１１１により、たとえば１つまたは複数のＵＥ１２０から受信することによって取得される。第２のネットワークノード１１２または第１のネットワークノード１１１は、受信された設定に基づき、たとえば以下のことの１つまたは任意の組合せを実施することによって近隣セルの設定を管理する。
・受信された設定のすべてまたは一部分を、たとえばＢＳ、コアネットワークノード、測位ノードといった別のネットワークノードに送る。
・（たとえばブロードキャスト、マルチキャスト、または専用の上位レイヤもしくは下位レイヤのシグナリングによって）たとえばＵＥ測定のための支援データ、またはＵＥ１２０の測定測位もしくはＵＥ１２０のロケーション判定のための測位支援データにおいて、受信された設定のすべてまたは一部分を１つまたは複数のＵＥ１２０に送る。
・測定ギャップを設定する（たとえば、測定ギャップが実際に送信されるＳＳＢのすべてまたは特定のグループをカバーする一方で、ギャップの内部の送信されないＳＳＢの数を最小限にするように測定ギャップ長を設定する）。
・たとえば非活性に設定されたＣＣ上での測定用に使用される測定サイクルを（たとえば、測定サイクルの測定部分が、実際に送信されるＳＳＢのすべてまたは特定のグループをカバーするように）設定する。
・ＤＲＸを設定する（たとえば、実際に送信されたＳＳＢを用いてＤＲＸ  ＯＮ期間を調整する）。
・１つまたは複数のＵＥ１２０について、１つまたは複数の測定対象および／または報告設定を更新する。
−  更新され得るパラメータの１つは、測定対象（ｍｅａｓＯｂｊｅｃｔ）において、たとえばＮ個のビーム測定結果の平均をとることによってセルの品質を導出するために使用される、ビームの最大数Ｎである。ネットワークは、所与のｍｅａｓＯｂｊｅｃｔ−ｘに関連した隣接セルのみがＫ個のビームを送信することを知っていれば、パラメータＮをＫよりも大きく設定するべきでないことが分かる。
−  更新され得る別のパラメータには、セルごと報告され、セルの測定にＬ３フィルタを適用する、ビームの最大数Ｘがある。ネットワークは、所与のｍｅａｓＯｂｊｅｃｔ−ｘに関連した隣接セルのみがＫ個のビームを送信することを認識していれば、パラメータＸをＫよりも大きく設定するべきでないことを知っている。このことは、特定の測定対象および／またはセルについてはＫよりも多くのＬ３フィルタセットアップするべきでないことをＵＥ１２０が知るのを支援する。
−  さらに別の例では、ＵＥ１２０の複雑さおよびリソース消費を低減するとともに測定時間を短縮するために、隣接セルのＳＳＢおよび／またはビーム設定がＵＥ１２０に提供され得る。
・たとえばモビリティ測定、無線リンク監視（ＲＬＭ）、測位測定、ＲＲＭ測定、ＳＯＮ測定、運転テスト最小化（ＭＤＴ）測定などの測定のためにＳＳＢのセットを設定する。
・受信された設定に基づいて、ＵＥ１２０などの１つまたは複数のＵＥに関する測定ギャップを設定する。たとえば、第１の設定が与えられると第１の測定ギャップ長および／または第１の測定ギャップ周期が設定され、第２の設定が与えられると第２の測定ギャップ長および／または第２の測定ギャップ周期が設定される。
−  たとえば、時間的に連続した一定数のＳＳブロックが送信されないかまたはＵＥ測定に利用不能であれば、より短いギャップが使用され得る。
・１つまたは複数の独自の送信を設定する。たとえば、
−  受信された設定において指示されたＳＳブロックまたはビームの送信とオーバラップする時間における独自のＳＳブロックまたはビームの送信の数を減少する。
−  受信された設定において指示されたＳＳブロックまたはビームの送信とオーバラップする時間における独自のＳＳブロックまたはビームの送信の送信電力を変化させる。たとえば、後者からの干渉を低減するように電力を低減するか、後者から干渉に打ち勝つように電力を増大する。
・セルのセットのすべてまたは少なくともＮ個のセルにより、それらのセルに関して実際に送信されたＳＳＢについての情報に基づき、実際に送信されたＳＳＢの共通セットを判定する。
・セルのセットのうちのセルのいずれによっても送信されなかったＳＳＢの共通セットを判定する。
・ＳＳＢがたとえば干渉する隣接セルといった隣接セルにおいて送信されたか否かということに基づいて負荷特性またはメトリックを判定する。たとえば、ＳＳＢが送信されなければ負荷はより小さく、ＳＳＢが送信されると負荷はより大きい。
【００７９】
ＵＥ１２０
ＵＥ１２０は、測定手順を適合させるため、受信器性能またはバッテリ寿命を向上させるため、たとえば、さらに具体的には、以下のことのいずれか１つまたは複数のために、たとえば隣接セルの受信されたＳＳＢおよび／またはビーム設定などの取得されたものを使用してよい。
・サービングセル、合計の放射電力（ＴＲＰ）、または他の隣接セルから信号を受信するときの受信器性能を向上するために、隣接セルからの干渉を軽減するかまたは相殺する。
・ＳＳＢが実際に送信されたか否かのブラインド検知を回避する。
・測定を実施して、送信されたことが知られているチャネル／信号を受信するために、システム情報（たとえばＳＳＢにも含まれているＰＢＣＨ）のＳＳＢベースの測定および受信を促進する。
・この情報を別のネットワークノードまたは別のＵＥに送る。
・たとえば、期間（たとえばスロットまたはサブフレーム）中に、関心のあるＳＳＢが送信されないとき、ＵＥ１２０の活動パターンを、有効である必要がないものに適合させる。
・ＳＳＢが実際には送信されないとき、ＵＥ１２０の受信器のビームを、別の方向の他の信号および／またはチャネルを受信するように切り換える。
・半二重のＵＥ１２０（たとえばＨＤ−ＦＤＤ）は、ある特定の時間単位において関心のあるＳＳＢが送信されない場合、したがって受信する必要がない場合には、ＵＬにおいて、またはたとえばＤ２Ｄまたは路車間（Ｖ２Ｘ）のような側で、送信してよい。
・所与のキャリア周波数上で、関心のあるＳＳＢが実際には送信されないとき、別のキャリア周波数に切り換える。
・隣接セルまたは隣接周波数において実際に送信されたＳＳＢ上で測位測定を実施する。
【００８０】
ＳＳブロックおよびビーム設定の例
さらなる例では、ＳＳブロックまたはビーム設定は、特定のタイプの無線信号（たとえば測位用に使用される無線信号）を送信するために使用されるビームに関係し得る。
【００８１】
別の例では、ＳＳブロックまたはビーム設定は、以下のいずれか１つまたは組合せをさらに含み得る。
・実際に送信されたＳＳブロックまたはＳＳブロックの１つもしくは複数のグループを指示するセル固有および／または周波数固有のビットマップ
・第１のセルのうちの１つまたは複数（たとえば隣接セルのうちの１つ、いくつかまたはすべて）に関するＳＳブロックまたはビーム設定が、参照セルおよび／または基準周波数（たとえばサービングセルおよび／または特定の周波数）に関して同一であるという指示
・セルの第１のグループに関するＳＳブロックまたはビーム設定が、セルの第２のグループ（セルのグループは、あらかじめ規定されたルールに基づいて判定されてよく、または全体のグループを特徴づける同一の特性で特徴づけられたセルのグループを含み得、またはセルのリストを含み得る）に関して同一であるという指示
・ＳＳブロックまたはビームの送信されるものおよび／または送信されないもの、ならびに／あるいはセルの中で利用可能なもの／利用不能なものの数
・ＳＳブロックまたはビームのうち、セルのグループまたは１つもしくは複数のキャリア周波数上で、送信されるものおよび／または送信されないもの、ならびに／あるいは利用可能なもの／利用不能なものの最小数および／または最大数
・ＳＳブロックまたはビームの共通セットの、セルのグループ内のすべてのセルまたは１つもしくは複数のキャリア周波数上で送信されるものおよび／または送信されないもの、ならびに／あるいは利用可能なもの／利用不能なもの
【００８２】
ＳＳブロックまたはビーム設定は、セルごとでよく、あるいはセルのグループおよび／または１つもしくは複数のキャリア周波数についてでよい。
【００８３】
たとえば新無線（ＮＲ）通信システムといった無線通信ネットワーク（１００）において、たとえば隣接セルのＳＳブロック設定などの設定を管理するための方法を実施するために、第１のネットワークノード１１１は、図１１に表現された機構を備え得る。第１のネットワークノード１１１は、たとえば取得回路、管理回路および送信回路を備え得る。
たとえば隣接セルのＳＳブロック設定などの設定をたとえば管理するための方法のアクションを実施するために、第１のネットワークノード１１１は、いくつかの実施形態では、たとえば取得モジュール１１１０、管理モジュール１１２０および送信モジュール１１３０を備え得る。
当業者なら、前述の第１のネットワークノード１１１におけるモジュールおよび回路は、アナログ回路とデジタル回路の組合せ、ならびに／あるいはたとえば第１のネットワークノード１１１に記憶されたソフトウェアおよび／またはファームウェアを用いて設定された１つまたは複数のプロセッサを指し得ることも理解するであろう。ソフトウェアおよび／またはファームウェアは、前述のプロセッサなどそれぞれの１つまたは複数のプロセッサによって実行されたとき。これらのプロセッサのうちの１つまたは複数、ならびに他のデジタルハードウェアは、単一の特定用途向け集積回路（ＡＳＩＣ）に含まれてよく、あるいは、いくつかのプロセッサおよび様々なデジタルハードウェアが、個々にパッケージ化されるかまたはシステムオンチップ（ＳｏＣ）へと組み立てられて、いくつかの別個の構成要素の間に分配されてもよい。
第１のネットワークノード１１１は、たとえばＵＥ１２０といったＵＥと通信するように設定された入出力インターフェース１１００を備え得る。入出力インターフェースは、無線受信器（図示せず）および無線送信器（図示せず）を備え得る。
本明細書の実施形態は、本明細書の実施形態の機能およびアクションを実施するためのそれぞれのコンピュータプログラムコードとともに、図１１に表現された第１のネットワークノード１１１における処理サーキットリのプロセッサ１１４０などそれぞれのプロセッサまたは１つまたは複数のプロセッサによって実施され得るものである。前述のプログラムコードは、たとえば第１のネットワークノード１１１にロードされたとき本明細書の実施形態を実施するためのコンピュータプログラムコードを担持するデータキャリアの形態のコンピュータプログラム製品として提供され得る。そのようなキャリアの１つはＣＤ  ＲＯＭディスクの形態でよい。しかしながら、そのようなキャリアはメモリスティックなど他のデータキャリアで実現可能である。コンピュータプログラムコードは、さらに、サーバ上の純粋なプログラムコードとして提供され、第１のネットワークノード１１１にダウンロードされ得る。
第１のネットワークノード１１１は、１つまたは複数のメモリユニットを備えた記憶装置１１５０をさらに備え得る。記憶装置は第１のネットワークノード１１１のプロセッサによって実行可能な命令を含む。記憶装置は、たとえばデータ、設定、指示、および第１のネットワークノード１１１において実行されたとき本明細書の方法を実施するアプリケーションを記憶するために使用されるように構成されている。
いくつかの実施形態では、それぞれのコンピュータプログラム１１６０が含む命令がそれぞれの少なくとも１つのプロセッサによって実行されたとき、第１のネットワークノード１１１の少なくとも１つのプロセッサに上記のアクションを実施させる。
いくつかの実施形態では、それぞれのキャリア１１７０がそれぞれのコンピュータプログラムを含み、キャリアは、電子信号、光信号、電磁気信号、磁気信号、電気信号、無線信号、マイクロ波信号、またはコンピュータ可読記憶媒体のうちの１つである。
【００８４】
たとえば新無線（ＮＲ）通信システムといった無線通信ネットワーク（１００）において、たとえば隣接セルのＳＳブロック設定などの設定を管理するための方法のアクションを実施するために、ＵＥ１２０は、図１２に表現された機構を備え得る。ＵＥ１２０は、たとえば取得回路および送信回路を備え得る。
たとえば隣接セルのＳＳブロック設定などの設定をたとえば管理するための方法のアクションを実施するために、ＵＥ１２０は、いくつかの実施形態では、たとえば取得モジュール１２１０、および送信モジュール１２２０を備え得る。
当業者なら、前述のＵＥ１２０におけるモジュールおよび回路は、アナログ回路とデジタル回路の組合せ、および／またはたとえばＵＥ１２０に記憶されたソフトウェアおよび／またはファームウェアを用いて設定された１つまたは複数のプロセッサを指し得ることも理解するであろう。ソフトウェアおよび／またはファームウェアは、前述のプロセッサなどそれぞれの１つまたは複数のプロセッサによって実行されたとき。これらのプロセッサのうちの１つまたは複数、ならびに他のデジタルハードウェアは、単一の特定用途向けの集積回路設計（ＡＳＩＣ）に含まれてよく、あるいは、いくつかのプロセッサおよび様々なデジタルハードウェアが、個々にパッケージ化されるかまたはシステムオンチップ（ＳｏＣ）へと組み立てられて、いくつかの別個の構成要素の間に分配されてもよい。
ＵＥ１２０は、たとえばネットワークノード１１１と通信するように設定された入出力インターフェース１２００を備え得る。入出力インターフェースは、無線受信器（図示せず）および無線送信器（図示せず）を備え得る。
本明細書の実施形態は、本明細書の実施形態の機能およびアクションを実施するためのそれぞれのコンピュータプログラムコードとともに、図１２に表現されたＵＥ１２０における処理サーキットリのプロセッサ１２３０などそれぞれのプロセッサまたは１つまたは複数のプロセッサによって実施され得るものである。前述のプログラムコードは、たとえばＵＥ１２０にロードされたとき本明細書の実施形態を実施するためのコンピュータプログラムコードを担持するデータキャリアの形態のコンピュータプログラム製品として提供され得る。そのようなキャリアの１つはＣＤ  ＲＯＭディスクの形態でよい。しかしながら、そのようなキャリアはメモリスティックなど他のデータキャリアで実現可能である。コンピュータプログラムコードは、さらに、サーバ上の純粋なプログラムコードとして提供され、ＵＥ１２０にダウンロードされ得る。
ＵＥ１２０は、１つまたは複数のメモリユニットを備えた記憶装置１２４０をさらに備え得る。記憶装置はプロセッサによって実行可能な命令を含む。記憶装置は、たとえばデータ、設定、指示、およびＵＥ１２０において実行されたとき本明細書の方法を実施するアプリケーションを記憶するために使用されるように構成されている。
いくつかの実施形態では、それぞれのコンピュータプログラム１２５０が含む命令がそれぞれの少なくとも１つのプロセッサによって実行されたとき、ＵＥ１２０の少なくとも１つのプロセッサに上記のアクションを実施させる。
いくつかの実施形態では、それぞれのキャリア１２６０がそれぞれのコンピュータプログラムを含み、キャリアは、電子信号、光信号、電磁気信号、磁気信号、電気信号、無線信号、マイクロ波信号、またはコンピュータ可読記憶媒体のうちの１つである。
【００８５】
たとえば新無線（ＮＲ）通信システムといった無線通信ネットワーク（１００）において、たとえば隣接セルのＳＳブロック設定などの設定を管理するための方法のアクションを実施するために、第２のネットワークノード１１２は、図１３に表現された機構を備え得る。ネットワークノード１１１は、たとえば受信回路および管理回路を備え得る。
たとえば隣接セルのＳＳブロック設定などの設定をたとえば管理するための方法のアクションを実施するために、第２ネットワークノード１１２は、いくつかの実施形態では、たとえば受信モジュール１３１０、および管理モジュール１３２０を備え得る。
当業者なら、前述の第２のネットワークノード１１２におけるモジュールおよび回路は、アナログ回路とデジタル回路の組合せ、および／またはたとえば第２のネットワークノード１１２に記憶されたソフトウェアおよび／またはファームウェアを用いて設定された１つまたは複数のプロセッサを指し得ることも理解するであろう。ソフトウェアおよび／またはファームウェアは、前述のプロセッサなどそれぞれの１つまたは複数のプロセッサによって実行されたとき。これらのプロセッサのうちの１つまたは複数、ならびに他のデジタルハードウェアは、単一の特定用途向けの集積回路設計（ＡＳＩＣ）に含まれてよく、あるいは、いくつかのプロセッサおよび様々なデジタルハードウェアが、個々にパッケージ化されるかまたはシステムオンチップ（ＳｏＣ）へと組み立てられて、いくつかの別個の構成要素の間に分配されてもよい。
第２のネットワークノード１１２は、たとえばＵＥ１２０と通信するように設定された入出力インターフェース１３００を備え得る。入出力インターフェースは、無線受信器（図示せず）および無線送信器（図示せず）を備え得る。
本明細書の実施形態は、本明細書の実施形態の機能およびアクションを実施するためのそれぞれのコンピュータプログラムコードとともに、図１２に表現された第２のネットワークノード１１２における処理サーキットリのプロセッサ１３３０などそれぞれのプロセッサまたは１つまたは複数のプロセッサによって実施され得るものである。前述のプログラムコードは、たとえば第２のネットワークノード１１２にロードされたとき本明細書の実施形態を実施するためのコンピュータプログラムコードを担持するデータキャリアの形態のコンピュータプログラム製品として提供され得る。そのようなキャリアの１つはＣＤ  ＲＯＭディスクの形態でよい。しかしながら、そのようなキャリアはメモリスティックなど他のデータキャリアで実現可能である。コンピュータプログラムコードは、さらに、サーバ上の純粋なプログラムコードとして提供され、第２のネットワークノード１１２にダウンロードされ得る。
第２のネットワークノード１１２は、１つまたは複数のメモリユニットを備えた記憶装置１３４０をさらに備え得る。記憶装置１３４０は第２のネットワークノード１１２のプロセッサによって実行可能な命令を含む。記憶装置は、たとえばデータ、設定、指示、および第２のネットワークノード１１２において実行されたとき本明細書の方法を実施するアプリケーションを記憶するために使用されるように構成されている。
いくつかの実施形態では、それぞれのコンピュータプログラム１３５０が含む命令がそれぞれの少なくとも１つのプロセッサによって実行されたとき、第２のネットワークノード１１２の少なくとも１つのプロセッサに上記のアクションを実施させる。
いくつかの実施形態では、それぞれのキャリア１３６０がそれぞれのコンピュータプログラムを含み、キャリアは、電子信号、光信号、電磁気信号、磁気信号、電気信号、無線信号、マイクロ波信号、またはコンピュータ可読記憶媒体のうちの１つである。
【００８６】
２７〜４６と番号づけされたいくつかの第１の例示的装置の実施形態が以下で説明される。以下の実施形態は、たとえば図１１〜図１３に関係するものである。
【００８７】
実施形態２７。無線通信ネットワーク１００の通信システムにおいて近隣セルの設定を管理するための第１のネットワークノード１１１であって、第１のネットワークノード１１１および第３のネットワークノード１１３が、無線通信ネットワーク１００において動作可能であり、
第１のネットワークノード１１１が、プロセッサ１１４０と、プロセッサによって実行可能な命令を含有している記憶装置１１５０とを備えることにより、第３のネットワークノード１１３によって送信された１つまたは複数の送信が実際に送信されたか否かを指示するパターンを含む設定を取得するように設定されており、
送信が、同期信号（ＳＳ）ブロックおよびビームのいずれかを含み、受信された設定に基づいて近隣セルの設定を管理するように適合されている、第１のネットワークノード１１１。
【００８８】
実施形態２８。パターンが、１つのパターンおよびパターンのグループのいずれかを含むように適合されている、実施形態２７に記載の第１のネットワークノード１１１。
【００８９】
実施形態２９。パターンが、送信パターンおよびＵＥ測定パターンのいずれかを含むように適合されている、実施形態２７または２８に記載の第１のネットワークノード１１１。
【００９０】
実施形態３０。１つまたは複数の送信が実際に送信されたかどうかを指示するパターンが、１つまたは複数の送信がＵＥ測定のために実際に利用可能か否かを指示するパターンによって表現されるように適合されている、実施形態２７から２９のいずれか１つに記載の第１のネットワークノード１１１。
【００９１】
実施形態３１。設定が、ＳＳブロック設定およびビーム設定のうちの任意の１つまたは複数であるように適合されている、実施形態２７から３０のいずれか１つに記載の第１のネットワークノード１１１。
【００９２】
実施形態３２。取得された設定が、第１のネットワークノード１１１によって決定されること、１つまたは複数のユーザ機器（ＵＥ）１２０から受信されること、および第３のネットワークノード１１３から受信されること、のいずれかによって取得されるように適合されている、実施形態２７から３１のいずれか１つに記載の第１のネットワークノード１１１。
【００９３】
実施形態３３。第３のネットワークノード１１３が、第１のネットワークノード１１１と同一のネットワークノードであるように適合されている、実施形態２７から３２のいずれか１つに記載の第１のネットワークノード１１１。
【００９４】
実施形態３４。受信された設定に基づき、
−  受信された設定のすべてまたは一部分を別のネットワークノードに送ること、
−  受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定に関するＳＳＢのセットを設定すること、
−  １つまたは複数のＵＥに関する測定ギャップを設定すること、
−  １つまたは複数の独自の送信を設定すること、
−  セルのセットのうちのすべてまたは少なくともＮ個のセルによって、実際に送信されたＳＳＢの共通セットを判定すること、
−  セルのセットのうちのセルのいずれによっても送信されなかったＳＳＢの共通セットを判定すること、
−  隣接セルにおいてＳＳＢが送信されたか否かということに基づいて負荷特性またはメトリックを判定すること、および
−  無線通信ネットワーク１００において動作する第２のネットワークノード１１２に設定を送ることのうちの１つまたは複数を実施することによって近隣セルの設定を管理するようにさらに設定されている実施形態２７から３３のいずれか１つに記載の第１のネットワークノード１１１。
【００９５】
実施形態３５。無線通信ネットワーク１００における近隣セルの設定をハンドリングするためのユーザ機器（ＵＥ）１２０であって、ＵＥ１２０、第１のネットワークノード１１１、および第３のネットワークノード１１３が、無線通信ネットワーク１００において動作可能であり、
ＵＥ１２０が、プロセッサ１２３０と、プロセッサによって実行可能な命令を含有している記憶装置１２４０とを備えることにより、第３のネットワークノード１１３によって送信された１つまたは複数の送信が実際に送信されたか否かを指示するパターンを含むように適合された設定を取得するように設定されており、
送信が、同期信号（ＳＳ）ブロックおよびビームのいずれかを含み、第１のネットワークノード１１１に設定を送るように適合されている、ＵＥ１２０。
【００９６】
実施形態３６。パターンが、１つのパターンおよびパターンのグループのいずれかを含むように適合されている、実施形態３５に記載のＵＥ１２０。
【００９７】
実施形態３７。パターンが、送信パターンおよびＵＥ測定パターンのいずれかを含むように適合されている、実施形態３５または３６に記載のＵＥ１２０。
【００９８】
実施形態３８。１つまたは複数の送信が実際に送信されたかどうかを指示するパターンが、１つまたは複数の送信がＵＥ測定のために実際に利用可能か否かを指示するパターンによって表現されるように適合されている、実施形態３５から３７のいずれか１つに記載のＵＥ１２０。
【００９９】
実施形態３９。設定が、ＳＳブロック設定およびビーム設定のうちの任意の１つまたは複数であるように適合されている、実施形態３５から３８のいずれか１つに記載のＵＥ１２０。
【０１００】
実施形態４０。設定が、ＵＥ１２０によって決定されること、および第３のネットワークノード１１３から受信されることのいずれかによって取得されるように適合されている、実施形態３５から３９のいずれか１つに記載のＵＥ１２０。
【０１０１】
実施形態４１。無線通信ネットワーク１００において近隣セルの設定をハンドリングするための第２のネットワークノード１１２であって、第１のネットワークノード１１１、第２のネットワークノード１１２および第３のネットワークノード１１３が、無線通信ネットワーク１００において動作可能であり、
第２のネットワークノード１１２が、プロセッサ１３３０と、プロセッサによって実行可能な命令を含有している記憶装置１３４０とを備えることにより、第１のネットワークノード１１１から、第３のネットワークノード１１３によって送信された１つまたは複数の送信が実際に送信されたか否かを指示するパターンを含むように適合された設定を受信するように設定されており、
送信が、同期信号（ＳＳ）ブロックおよびビームのいずれかを含み、受信された設定に基づいて近隣セルの設定を管理するように適合されている、第２のネットワークノード１１２。
【０１０２】
実施形態４２。パターンが、１つのパターンおよびパターンのグループのいずれかを含むように適合されている、実施形態４１に記載の第２のネットワークノード１１２。
【０１０３】
実施形態４３。パターンが、送信パターンおよびＵＥ測定パターンのいずれかを含むように適合されている、実施形態４１または４２に記載の第２のネットワークノード１１２。
【０１０４】
実施形態４４。１つまたは複数の送信が実際に送信されたかどうかを指示するパターンが、１つまたは複数の送信がＵＥ測定のために実際に利用可能か否かを指示するパターンによって表現されるように適合されている、実施形態４１から４３のいずれか１つに記載の第２のネットワークノード１１２。
【０１０５】
実施形態４５。設定が、ＳＳブロック設定およびビーム設定のうちの任意の１つまたは複数であるように適合されている、実施形態４１から４４のいずれか１つに記載の第２のネットワークノード１１２。
【０１０６】
実施形態４６。近隣セルの設定を管理するようにさらに設定されている第２のネットワークノード１１２であって、受信された設定に基づいて、
−  受信された設定のすべてまたは一部分を別のネットワークノードに送ること、
−  受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定に関するＳＳＢのセットを設定すること、
−  １つまたは複数のＵＥに関する測定ギャップを設定すること、
−  １つまたは複数の独自の送信を設定すること、
−  セルのセットにおけるすべてまたは少なくともＮ個のセルによって、実際に送信されたＳＳＢの共通セットを判定すること、
−  セルのセットのうちのセルのいずれによっても送信されなかったＳＳＢの共通セットを判定すること、および
−  隣接セルにおいてＳＳＢが送信されたか否かということに基づいて負荷特性またはメトリックを判定することのうちの１つまたは複数を実施する、実施形態４１から４５のいずれか１つに記載の第２のネットワークノード１１２。
【０１０７】
２７から４６と番号づけされたいくつかの第２の例示的装置の実施形態が以下で説明される。以下の実施形態は、たとえば図１１〜図１３に関係するものである。
【０１０８】
実施形態２７。無線通信ネットワーク１００の通信システムにおいて近隣セルの設定を管理するための第１のネットワークノード１１１であって、第１のネットワークノード１１１および第３のネットワークノード１１３が無線通信ネットワーク１００において動作可能であり、第１のネットワークノード１１１が、
第３のネットワークノード１１３によって送信された１つまたは複数の送信が実際に送信されたか否かを指示するパターンを含む設定を取得するように設定された取得回路１１１０であって、送信が、同期信号（ＳＳ）ブロックおよびビームのいずれかを含むように適合されている、取得回路１１１０と、
受信された設定に基づいて、近隣セルの設定を管理するように設定された管理回路１１２０とを備える第１のネットワークノード１１１。
【０１０９】
実施形態２８。パターンが、１つのパターンおよびパターンのグループのいずれかを含むように適合されている、実施形態２７に記載の第１のネットワークノード１１１。
【０１１０】
実施形態２９。パターンが、送信パターンおよびＵＥ測定パターンのいずれかを含むように適合されている、実施形態２７または２８に記載の第１のネットワークノード１１１。
【０１１１】
実施形態３０。１つまたは複数の送信が実際に送信されたかどうかを指示するパターンが、１つまたは複数の送信がＵＥ測定のために実際に利用可能か否かを指示するパターンによって表現されるように適合されている、実施形態２７から２９のいずれか１つに記載の第１のネットワークノード１１１。
【０１１２】
実施形態３１。設定が、ＳＳブロック設定およびビーム設定のうちの任意の１つまたは複数であるように適合されている、実施形態２７から３０のいずれか１つに記載の第１のネットワークノード１１１。
【０１１３】
実施形態３２。取得される設定が、第１のネットワークノード１１１によって決定されること、１つまたは複数のユーザ機器（ＵＥ）１２０から受信されること、および第３のネットワークノード１１３から受信されること、のいずれかによって取得されるように適合されている、実施形態２７から３１のいずれか１つに記載の第１のネットワークノード１１１。
【０１１４】
実施形態３３。第３のネットワークノード１１３が、第１のネットワークノード１１１と同一のネットワークノードであるように適合されている、実施形態２７から３２のいずれか１つに記載の第１のネットワークノード１１１。
【０１１５】
実施形態３４。受信された設定に基づき、
−  受信された設定のすべてまたは一部分を別のネットワークノードに送ること、
−  受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定に関するＳＳＢのセットを設定すること、
−  １つまたは複数のＵＥに関する測定ギャップを設定すること、
−  １つまたは複数の独自の送信を設定すること、
−  セルのセットのすべてまたは少なくともＮ個のセルによって実際に送信されたＳＳＢの共通セットを判定すること、
−  セルのセットのうちのセルのいずれによっても送信されなかったＳＳＢの共通セットを判定すること、
−  隣接セルにおいてＳＳＢが送信されたか否かということに基づいて負荷特性またはメトリックを判定すること、および
−  送信回路１１３０によって、無線通信ネットワーク１００において動作する第２のネットワークノード１１２に設定を送ることのうちの１つまたは複数を実施することによって近隣セルの設定を管理するようにさらに設定されている、実施形態２７から３３のいずれか１つに記載の第１のネットワークノード１１１。
【０１１６】
実施形態３５。無線通信ネットワーク１００における近隣セルの設定をハンドリングするためのユーザ機器ＵＥ１２０であって、ＵＥ１２０、第１のネットワークノード１１１、および第３のネットワークノード１１３が、無線通信ネットワーク１００において動作可能であり、ＵＥ１２０が、
第３のネットワークノード１１３によって送信された１つまたは複数の送信が実際に送信されたか否かを指示するパターンを含むように適合された設定を取得するように設定された取得回路１２１０であって、送信が、同期信号（ＳＳ）ブロックおよびビームのいずれかを含むように適合されている、取得回路１２１０と、
第１のネットワークノード１１１に設定を送るように設定された送信回路１２２０とを備えるＵＥ１２０。
【０１１７】
実施形態３６。パターンが、１つのパターンおよびパターンのグループのいずれかを含むように適合されている、実施形態３５に記載のＵＥ１２０。
【０１１８】
実施形態３７。パターンが、送信パターンおよびＵＥ測定パターンのいずれかを含むように適合されている、実施形態３５または３６に記載のＵＥ１２０。
【０１１９】
実施形態３８。１つまたは複数の送信が実際に送信されたかどうかを指示するパターンが、１つまたは複数の送信がＵＥ測定のために実際に利用可能か否かを指示するパターンによって表現されるように適合されている、実施形態３５から３７のいずれか１つに記載のＵＥ１２０。
【０１２０】
実施形態３９。設定が、ＳＳブロック設定およびビーム設定のうちの任意の１つまたは複数であるように適合されている、実施形態３５から３８のいずれか１つに記載のＵＥ１２０。
【０１２１】
実施形態４０。設定が、ＵＥ１２０によって決定されること、および第３のネットワークノード１１３から受信されることのいずれかによって取得されるように適合されている、実施形態３５から３９のいずれか１つに記載のＵＥ１２０。
【０１２２】
実施形態４１。無線通信ネットワーク１００において近隣セルの設定をハンドリングするための第２のネットワークノード１１２であって、第１のネットワークノード１１１、第２のネットワークノード１１２および第３のネットワークノード１１３が、無線通信ネットワーク１００において動作可能であり、第２のネットワークノード１１２が、
第１のネットワークノード１１１から、第３のネットワークノード１１３によって送信された１つまたは複数の送信が実際に送信されたか否かを指示するパターンを含むように適合された設定を受信するように設定された受信回路１３１０であって、送信が、同期信号（ＳＳ）ブロックおよびビームのいずれかを含むように適合されている、受信回路１３１０と、
受信された設定に基づいて、近隣セルの設定を管理するように設定された管理回路１３２０とを備える第２のネットワークノード１１１。
【０１２３】
実施形態４２。パターンが、１つのパターンおよびパターンのグループのいずれかを含むように適合されている、実施形態４１に記載の第２のネットワークノード１１２。
【０１２４】
実施形態４３。パターンが、送信パターンおよびＵＥ測定パターンのいずれかを含むように適合されている、実施形態４１または４２に記載の第２のネットワークノード１１２。
【０１２５】
実施形態４４。１つまたは複数の送信が実際に送信されたかどうかを指示するパターンが、１つまたは複数の送信がＵＥ測定のために実際に利用可能か否かを指示するパターンによって表現されるように適合されている、実施形態４１から４３のいずれか１つに記載の第２のネットワークノード１１２。
【０１２６】
実施形態４５。設定が、ＳＳブロック設定およびビーム設定のうちの任意の１つまたは複数であるように適合されている、実施形態４１から４４のいずれか１つに記載の第２のネットワークノード１１２。
【０１２７】
実施形態４６。近隣セルの設定を管理するようにさらに設定されている第２のネットワークノード１１２であって、受信された設定に基づいて、
−  受信された設定のすべてまたは一部分を別のネットワークノードに送ること、
−  受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定に関するＳＳＢのセットを設定すること、
−  １つまたは複数のＵＥに関する測定ギャップを設定すること、
−  １つまたは複数の独自の送信を設定すること、
−  セルのセットにおけるすべてまたは少なくともＮ個のセルによって、実際に送信されたＳＳＢの共通セットを判定すること、
−  セルのセットのうちのセルのいずれによっても送信されなかったＳＳＢの共通セットを判定すること、および
−  隣接セルにおいてＳＳＢが送信されたか否かということに基づいて負荷特性またはメトリックを判定することのうちの１つまたは複数を実施する、実施形態４１から４５のいずれか１つに記載の第２のネットワークノード１１２。
【０１２８】
１〜４４と番号づけされたいくつかのさらなる実施形態が以下で説明される。以下の実施形態は、たとえば図７〜図１３に関係するものである。
【０１２９】
実施形態１。たとえば新無線（ＮＲ）通信システムといった無線通信ネットワーク１００における隣接セルの、たとえばＳＳブロック設定などの設定を管理するために、第１のネットワークノード１１１によって実施される方法であって、第１のネットワークノード１１１、第２のネットワークノード１１２および第３のネットワークノード１１３が、無線通信ネットワーク１００において動作する方法において、
第３のネットワークノード１１３によって送信された１つまたは複数の送信が実際に送信されたか否かを指示するパターンを含む設定を取得すること（８０１）であって、送信が、同期信号（ＳＳ）ブロックおよびビームのいずれかを含む、設定を取得すること（８０１）と、
受信された設定に基づき、たとえば、−  受信された設定のすべてまたは一部分を別のネットワークノードに送ること、−  受信された設定のすべてまたは一部分を１つまたは複数のＵＥに送ること、−  測定ギャップを設定すること、−  測定サイクルを設定すること、−  ＤＲＸを設定すること、−  １つまたは複数のＵＥについて、１つまたは複数の測定対象および／または報告設定を更新すること、−  測定のためにＳＳＢのセットを設定すること、−  １つまたは複数のＵＥに関する測定ギャップを設定すること、−  １つまたは複数の独自の送信を設定すること、−  セルのセットのすべてまたは少なくともＮ個のセルによって実際に送信されたＳＳＢの共通セットを判定すること、−  セルのセットのうちのセルのいずれによっても送信されなかったＳＳＢの共通セットを判定すること、および−  干渉する隣接セルにおいてＳＳＢが送信されたか否かということに基づいて負荷特性またはメトリックを判定することのうちの１つまたは複数を実施することによって隣接セルの設定を管理すること（８０２）、
たとえば第２のネットワークノード１１２に設定を送ることなど、とを含む方法。
【０１３０】
実施形態２。パターンが、１つのパターンおよびパターンのグループのいずれかを含む、実施形態１に記載の方法。
【０１３１】
実施形態３。パターンが、送信パターンおよびＵＥ測定パターンのいずれかを含む、実施形態１または２に記載の方法。
【０１３２】
実施形態４。１つまたは複数の送信が実際に送信されたか否かを指示するパターンが、１つまたは複数の測定がＵＥ測定のために実際に利用可能か否かを指示する測定パターンによって表現される、実施形態１から３のいずれか１つに記載の方法。
【０１３３】
実施形態５。設定がＳＳブロックおよびビームのうちの任意の１つまたは複数のものである、実施形態１から４のいずれか１つに記載の方法。
【０１３４】
実施形態６。設定が、第１のネットワークノード１１１によって決定されること、１つまたは複数のユーザ機器（ＵＥ）１２０から受信されること、および第３のネットワークノード１１３から受信されること、のいずれかによって取得される、実施形態１から５のいずれか１つに記載の方法。
【０１３５】
実施形態７。第３のネットワークノード１１３が第１のネットワークノード１１１と同一のネットワークノードである、実施形態１から６のいずれか１つに記載の方法。
【０１３６】
実施形態８。プロセッサによって実行されたとき、プロセッサに、実施形態１から７のいずれか１つに記載のアクションを実施させる命令を含むコンピュータプログラム。
【０１３７】
実施形態９。実施形態８に記載のコンピュータプログラムを含むキャリアであって、電子信号、光信号、電磁気信号、磁気信号、電気信号、無線信号、マイクロ波信号、またはコンピュータ可読記憶媒体のうちの１つであるキャリア。
【０１３８】
実施形態１０。たとえば新無線（ＮＲ）通信システムといった無線通信ネットワーク１００における隣接セルの、たとえばＳＳブロック設定などの設定をハンドリングするために、ユーザ機器（ＵＥ）１２０によって実施される方法であって、ＵＥ１２０、第１のネットワークノード１１１、および第３のネットワークノード１１３が、無線通信ネットワーク１００において動作する、方法において、
同期信号（ＳＳ）ブロックおよびビームのいずれかを含む、第３のネットワークノード１１３によって送信された１つまたは複数の送信が実際に送信されたか否かを指示するパターンを含む設定を取得すること（９０１）と、
第１のネットワークノード１１２に設定を送ること（９０２）とを含む方法。
【０１３９】
実施形態１１。パターンが、１つのパターンおよびパターンのグループのいずれかを含む、実施形態１０に記載の方法。
【０１４０】
実施形態１２。パターンが、送信パターンおよびＵＥ測定パターンのいずれかを含む、実施形態１０または１１に記載の方法。
【０１４１】
実施形態１３。１つまたは複数の送信が実際に送信されたか否かを指示するパターンが、１つまたは複数の測定がＵＥ測定のために実際に利用可能か否かを指示する測定パターンによって表現される、実施形態１０から１２のいずれか１つに記載の方法。
【０１４２】
実施形態１４。設定がＳＳブロックおよびビームのうちの任意の１つまたは複数のものである、実施形態１０から１３のいずれか１つに記載の方法。
【０１４３】
実施形態１５。設定が、ＵＥ１２０によって決定されること、および第３のネットワークノード１１３から受信されることのいずれかによって取得される、実施形態１０から１４のいずれか１つに記載の方法。
【０１４４】
実施形態１６。プロセッサによって実行されたとき、プロセッサに、実施形態１０から１５のいずれか１つに記載のアクションを実施させる命令を含むコンピュータプログラム。
【０１４５】
実施形態１７。実施形態１６に記載のコンピュータプログラムを含むキャリアであって、電子信号、光信号、電磁気信号、磁気信号、電気信号、無線信号、マイクロ波信号、またはコンピュータ可読記憶媒体のうちの１つであるキャリア。
【０１４６】
実施形態１８。たとえば新無線（ＮＲ）通信システムといった無線通信ネットワーク１００における隣接セルの、たとえばＳＳブロック設定などの設定を管理するために、第２のネットワークノード１１２によって実施される方法であって、第１のネットワークノード１１１、第２のネットワークノード１１２および第３のネットワークノード１１３が、無線通信ネットワーク１００において動作する、方法において、
第１のネットワークノード１１１から、第３のネットワークノード１１３によって送信された１つまたは複数の送信が実際に送信されたか否かを指示するパターンを含む設定を受信すること（１００１）であって、送信が、同期信号（ＳＳ）ブロックおよびビームのいずれかを含む、設定を受信すること（１００１）と、
受信された設定に基づき、たとえば
−  受信された設定のすべてまたは一部分を別のネットワークノードに送ること、
−  受信された設定のすべてまたは一部分を１つまたは複数のＵＥに送ること、
−  測定ギャップを設定すること、
−  測定サイクルを設定すること、
−  ＤＲＸを設定すること、
−  １つまたは複数のＵＥについて、１つまたは複数の測定対象および／または報告設定を更新すること、
−  測定のためにＳＳＢのセットを設定すること、
−  １つまたは複数のＵＥに関する測定ギャップを設定すること、
−  １つまたは複数の独自の送信を設定すること、
−  セルのセットのすべてまたは少なくともＮ個のセルによって実際に送信されたＳＳＢの共通セットを判定すること、
−  セルのセットのうちのセルのいずれによっても送信されなかったＳＳＢの共通セットを判定すること、および
−  干渉する隣接セルにおいてＳＳＢが送信されたか否かということに基づいて負荷特性またはメトリックを判定することのうちの１つまたは複数を実施することによって隣接セルの設定を管理すること（１００２）とを含む方法。
【０１４７】
実施形態１９。パターンが、１つのパターンおよびパターンのグループのいずれかを含む、実施形態１８に記載の方法。
【０１４８】
実施形態２０。パターンが、送信パターンおよびＵＥ測定パターンのいずれかを含む、実施形態１８または１９に記載の方法。
【０１４９】
実施形態２１。１つまたは複数の送信が実際に送信されたか否かを指示するパターンが、１つまたは複数の測定がＵＥ測定のために実際に利用可能か否かを指示する測定パターンによって表現される、実施形態１８から２０のいずれか１つに記載の方法。
【０１５０】
実施形態２２。設定がＳＳブロックおよびビームのうちの任意の１つまたは複数のものである、実施形態１８から２１のいずれか１つに記載の方法。
【０１５１】
実施形態２３。プロセッサによって実行されたとき、プロセッサに、実施形態１８から２２のいずれか１つに記載のアクションを実施させる命令を含むコンピュータプログラム。
【０１５２】
実施形態２４。実施形態２３に記載のコンピュータプログラムを含むキャリアであって、電子信号、光信号、電磁気信号、磁気信号、電気信号、無線信号、マイクロ波信号、またはコンピュータ可読記憶媒体のうちの１つであるキャリア。
【０１５３】
実施形態２５。たとえば新無線（ＮＲ）通信システムといった無線通信ネットワーク１００における隣接セルの、たとえばＳＳブロック設定などの設定を管理するための第１のネットワークノード１１１であって、第１のネットワークノード１１１、第２のネットワークノード１１２および第３のネットワークノード１１３が、無線通信ネットワーク１００において動作可能であり、第１のネットワークノード１１１が、
取得回路１１１０および／またはモジュールによって、第３のネットワークノード１１３によって送信された１つまたは複数の送信が実際に送信されたか否かを指示するパターンを含む設定を取得することであって、送信が、同期信号（ＳＳ）ブロックおよびビームのいずれかを含むように適合されている、設定を取得することと、
たとえば送信回路１１３０および／またはモジュールによって、第２のネットワークノード１１２に設定を送ることとを行うように設定されている第１のネットワークノード１１１。
【０１５４】
実施形態２６。パターンが、１つのパターンおよびパターンのグループのいずれかを含むように適合されている、実施形態２５に記載の第１のネットワークノード１１１。
【０１５５】
実施形態２７。パターンが、送信パターンおよびＵＥ測定パターンのいずれかを含むように適合されている、実施形態２５または２６に記載の第１のネットワークノード１１１。
【０１５６】
実施形態２８。１つまたは複数の送信が実際に送信されたか否かを指示するパターンが、１つまたは複数の測定がＵＥ測定のために実際に利用可能か否かを指示する測定パターンによって表現されるように適合されている、実施形態２５から２７のいずれか１つに記載の第１のネットワークノード１１１。
【０１５７】
実施形態２９。設定が、ＳＳブロックおよびビームのうちの任意の１つまたは複数のものであるように適合されている、実施形態２５から２８のいずれか１つに記載の第１のネットワークノード１１１。
【０１５８】
実施形態３０。設定が、第１のネットワークノード１１１によって決定されること、１つまたは複数のユーザ機器（ＵＥ）１２０から受信されること、および第３のネットワークノード１１３から受信されること、のいずれかによって取得されるように適合されている、実施形態２５から２９のいずれか１つに記載の第１のネットワークノード１１１。
【０１５９】
実施形態３１。第３のネットワークノード１１３が、第１のネットワークノード１１１と同一のネットワークノードであるように適合されている、実施形態２５から３０のいずれか１つに記載の第１のネットワークノード１１１。
【０１６０】
実施形態３２。たとえば新無線（ＮＲ）通信システムといった無線通信ネットワーク１００における隣接セルの、たとえばＳＳブロック設定などの設定をハンドリングするためのユーザ機器（ＵＥ）１２０であって、ＵＥ１２０、第１のネットワークノード１１１、および第３のネットワークノード１１３が、無線通信ネットワーク１００において動作可能であり、ＵＥ１２０が、
取得回路および／またはモジュールによって、第３のネットワークノード１１３によって送信された１つまたは複数の送信が実際に送信されたか否かを指示するパターンを含むように適合された設定を取得することであって、送信が、同期信号（ＳＳ）ブロックおよびビームのいずれかを含むように適合されている、設定を取得することと、
たとえば送信回路および／またはモジュールによって、この設定を第２のネットワークノード１１２に送ることとを行うように設定されているＵＥ１２０。
【０１６１】
実施形態３３。パターンが、１つのパターンおよびパターンのグループのいずれかを含むように適合されている、実施形態３２に記載のＵＥ１２０。
【０１６２】
実施形態３４。パターンが、送信パターンおよびＵＥ測定パターンのいずれかを含むように適合されている、実施形態３２または３３に記載のＵＥ１２０。
【０１６３】
実施形態３５。１つまたは複数の送信が実際に送信されたか否かを指示するパターンが、１つまたは複数の測定がＵＥ測定のために実際に利用可能か否かを指示する測定パターンによって表現されるように適合されている、実施形態３２から３４のいずれか１つに記載のＵＥ１２０。
【０１６４】
実施形態３６。設定が、ＳＳブロックおよびビームのうちの任意の１つまたは複数のものであるように適合されている、実施形態３２から３５のいずれか１つに記載のＵＥ１２０。
【０１６５】
実施形態３７。設定が、ＵＥ１２０によって決定されること、および第３のネットワークノード１１３から受信されることのいずれかによって取得されるように適合されている、実施形態３２から３６のいずれか１つに記載のＵＥ１２０。
【０１６６】
実施形態３８。たとえば新無線（ＮＲ）通信システムといった無線通信ネットワーク１００における近隣セルの、たとえば設定を管理するための第２のネットワークノード１１２であって、第１のネットワークノード１１１、第２のネットワークノード１１２および第３のネットワークノード１１３が、無線通信ネットワーク１００において動作可能であり、第２のネットワークノード１１２が、
受信回路および／またはモジュールによって、第１のネットワークノード１１１から、第３のネットワークノード１１３によって送信された１つまたは複数の送信が実際に送信されたか否かを指示するパターンを含むように適合された設定を受信することであって、送信が、同期信号（ＳＳ）ブロックおよびビームのいずれかを含むように適合される、設定を受信することと、
たとえば受信された設定に基づき、管理回路および／またはモジュールによって、−  受信された設定のすべてまたは一部分を別のネットワークノードに送ること、−  受信された設定のすべてまたは一部分を１つまたは複数のＵＥに送ること、−  測定ギャップを設定すること、−  測定サイクルを設定すること、−  ＤＲＸを設定すること、−  １つまたは複数のＵＥについて、１つまたは複数の測定対象および／または報告設定を更新すること、−  測定のためにＳＳＢのセットを設定すること、−  １つまたは複数のＵＥに関する測定ギャップを設定すること、−  １つまたは複数の独自の送信を設定すること、−  セルのセットのすべてまたは少なくともＮ個のセルによって実際に送信されたＳＳＢの共通セットを判定すること、−  セルのセットのうちのセルのいずれによっても送信されなかったＳＳＢの共通セットを判定すること、および−  干渉する隣接セルにおいてＳＳＢが送信されたか否かということに基づいて負荷特性またはメトリックを判定することのうちの１つまたは複数を実施することによって隣接セルの設定を管理することとを備える、第２のネットワークノード１１２。
【０１６７】
実施形態３９。パターンが、１つのパターンおよびパターンのグループのいずれかを含むように適合されている、実施形態３８に記載の第２のネットワークノード１１２。
【０１６８】
実施形態４０。パターンが、送信パターンおよびＵＥ測定パターンのいずれかを含むように適合されている、実施形態３８または３９に記載の第２のネットワークノード１１２。
【０１６９】
実施形態４１。１つまたは複数の送信が実際に送信されたか否かを指示するパターンが、１つまたは複数の測定がＵＥ測定のために実際に利用可能か否かを指示する測定パターンによって表現されるように適合されている、実施形態３８から４０のいずれか１つに記載の第２のネットワークノード１１２。
【０１７０】
実施形態４２。設定が、ＳＳブロックおよびビームのうちの任意の１つまたは複数のものであるように適合されている、実施形態３８から４１のいずれか１つに記載の第２のネットワークノード１１２。
【０１７１】
さらなる拡張および変形形態
図１４を参照して、一実施形態によれば、通信システムが含む、たとえば３ＧＰＰタイプセルラーネットワークなどのＮＲネットワークといった無線通信ネットワーク１００などの電気通信ネットワーク３２１０は、無線アクセスネットワークなどのアクセスネットワーク３２１１およびコアネットワーク３２１４を含む。アクセスネットワーク３２１１には、第１のネットワークノード１１１、第２のネットワークノード１１２、および第３のネットワークノード１１３など複数の基地局３２１２ａ、３２１２ｂ、３２１２ｃ、アクセスノード、ＡＰ  ＳＴＡ  ＮＢ、ｅＮＢ、ｇＮＢ、または他のタイプの無線アクセスポイント３２１３ａ、３２１３ｂ、３２１３ｃが備わっており、それぞれが、対応するカバレッジエリアを規定する。各基地局３２１２ａ、３２１２ｂ、３２１２ｃは、有線または無線の接続３２１５を通じてコアネットワーク３２１４に接続可能である。たとえばカバレッジエリア３２１３ｃに配置された非ＡＰ  ＳＴＡ  ３２９１などのＵＥ１２０といった第１のユーザ機器（ＵＥ）は、対応する基地局３２１２ｃに無線で接続するか、または基地局３２１２ｃによってページングされるように設定される。たとえばカバレッジエリア３２１３ａにおける非ＡＰ  ＳＴＡなどのＵＥ１２０といった第２のＵＥ３２９２は、対応する基地局３２１２ａに対して無線で接続可能である。この例では複数のＵＥ３２９１、３２９２が図示されているが、開示された実施形態は、カバレッジエリアにＵＥが単独である状況や、単独のＵＥが対応する基地局３２１２に接続されている状況にも同様に適用可能である。
電気通信ネットワーク３２１０自体がホストコンピュータ３２３０に接続されており、このことは、ハードウェアおよび／またはスタンドアロンのサーバ、クラウドで実施されたサーバ、分散型サーバのソフトウェア、もしくはサーバファームにおける処理リソースとして具現され得る。ホストコンピュータ３２３０は、サービスプロバイダに所有されるかもしくは制御されてよく、またはサービスプロバイダによって、もしくはサービスプロバイダのために運営されてよい。電気通信ネットワーク３２１０とホストコンピュータ３２３０の間の接続３２２１、３２２２は、コアネットワーク３２１４からホストコンピュータ３２３０に直接届いてよく、または任意選択の中間ネットワーク３２２０を介してもよい。中間ネットワーク３２２０は、パブリックネットワーク、プライベートネットワーク、ホスティングされたネットワークのうちの１つでよく、または２つ以上の組合せでもよく、存在する場合には、バックボーンネットワークまたはインターネットでよく、詳細には、２つ以上のサブネットワーク（図示せず）を備え得る。
全体としての図１４の通信システムは、接続されたＵＥ３２９１、３２９２のうちの１つとホストコンピュータ３２３０の間の接続を可能にする。接続はオーバーザトップ（ＯＴＴ）接続３２５０として説明され得る。ホストコンピュータ３２３０および接続されたＵＥ３２９１、３２９２は、仲介物としてアクセスネットワーク３２１１、コアネットワーク３２１４、任意の中間ネットワーク３２２０および可能なさらなるインフラストラクチュア（図示せず）を使用して、ＯＴＴ接続３２５０を通じてデータおよび／またはシグナリングと通信するように設定されている。ＯＴＴ接続３２５０は、ＯＴＴ接続３２５０を通して関与する通信デバイスがアップリンク通信やダウンリンク通信のルーティングを認識しないという意味で透過的であり得る。たとえば、基地局３２１２は、接続されたＵＥ３２９１に転送される（たとえばハンドオーバされる）、ホストコンピュータ３２３０由来のデータを伴う入来ダウンリンク通信の過去のルーティングに関して通知されなくてよく、通知される必要もない。同様に、基地局３２１２は、ＵＥ３２９１由来の出力の、ホストコンピュータ３２３０へのアップリンク通信の将来のルーティングを認識する必要はない。
【０１７２】
次に、前節において論じられた一実施形態によるＵＥ、基地局、およびホストコンピュータの例示の実装形態が、図１５を参照しながら説明される。通信システム３３００において、ホストコンピュータ３３１０が備えるハードウェア３３１５に含まれる通信インターフェース３３１６は、通信システム３３００の異なる通信デバイスのインターフェースとの有線または無線の接続をセットアップして維持するように設定されている。ホストコンピュータ３３１０がさらに備える処理サーキットリ３３１８は、記憶能力および／または処理能力を有し得る。詳細には、処理サーキットリ３３１８は、命令を実行するように適合された１つまたは複数のプログラマブルプロセッサ、特定用途向け集積回路、フィールドプログラマブルゲートアレイまたはこれらの組合せ（図示せず）を備え得る。ホストコンピュータ３３１０がさらに含むソフトウェア３３１１は、ホストコンピュータ３３１０による記憶またはアクセスが可能であり、処理サーキットリ３３１８によって実行可能である。ソフトウェア３３１１はホストアプリケーション３３１２を含む。ホストアプリケーション３３１２は、ＵＥ３３３０およびホストコンピュータ３３１０において終結するＯＴＴ接続３３５０を介して接続するＵＥ３３３０などの遠隔ユーザにサービスを提供するように動作可能であり得る。遠隔ユーザにサービスを提供する際に、ホストアプリケーション３３１２は、ＯＴＴ接続３３５０を使用して送信されるユーザデータを供給してよい。
【０１７３】
通信システム３３００がさらに備える基地局３３２０は、電気通信システムに用意され、ホストコンピュータ３３１０およびＵＥ３３３０との通信を可能にするハードウェア３３２５を備える。ハードウェア３３２５は、通信システム３３００の異なる通信デバイスのインターフェースとの有線または無線の接続をセットアップして維持するための通信インターフェース３３２６、ならびに、少なくとも基地局３３２０によってサーブされたカバレッジエリア（図１５には示されていない）にあるＵＥ３３３０との無線接続３３７０をセットアップして維持するための無線インターフェース３３２７を含み得る。通信インターフェース３３２６は、ホストコンピュータ３３１０に対する接続３３６０を容易にするように設定されてよい。接続３３６０は直接的でよく、あるいは、電気通信システムのコアネットワーク（図１５には示されていない）および／または電気通信システムの外部の１つまたは複数の中間のネットワークを介してもよい。示された実施形態では、基地局３３２０のハードウェア３３２５がさらに含む処理サーキットリ３３２８は、命令を実行するように適合された、１つまたは複数のプログラマブルプロセッサ、特定用途向け集積回路、フィールドプログラマブルゲートアレイまたはこれらの組合せ（図示せず）を備え得る。基地局３３２０がさらに有するソフトウェア３３２１は、内部に記憶されるかまたは外部接続を介してアクセスされ得る。
通信システム３３００は、既に言及されたＵＥ３３３０をさらに備える。ＵＥ３３３０のハードウェア３３３５が含み得る無線インターフェース３３３７は、ＵＥ３３３０が今のところ位置するカバレッジエリアをサーブしている基地局との無線接続３３７０をセットアップして維持するように設定されている。ＵＥ３３３０のハードウェア３３３５がさらに含む処理サーキットリ３３３８は、命令を実行するように適合された１つまたは複数のプログラマブルプロセッサ、特定用途向け集積回路、フィールドプログラマブルゲートアレイまたはこれらの組合せ（図示せず）を備え得る。ＵＥ３３３０がさらに含むソフトウェア３３３１は、ＵＥ３３３０による記憶またはアクセスが可能であり、処理サーキットリ３３３８によって実行可能である。ソフトウェア３３３１はクライアントアプリケーション３３３２を含む。クライアントアプリケーション３３３２は、ホストコンピュータ３３１０の支援の下に、ＵＥ３３３０を介して、人間または人間以外のユーザにサービスを提供するように動作可能であり得る。ホストコンピュータ３３１０において実行中のホストアプリケーション３３１２は、ＵＥ３３３０およびホストコンピュータ３３１０において終結するＯＴＴ接続３３５０を介して、実行中のクライアントアプリケーション３３３２と通信し得る。クライアントアプリケーション３３３２は、ユーザにサービスを提供する際に、ホストアプリケーション３３１２から要求データを受信し、要求データに応答してユーザデータを供給してよい。ＯＴＴ接続３３５０は、要求データとユーザデータの両方を転送し得る。クライアントアプリケーション３３３２は、ユーザと相互作用して、供給するユーザデータを生成し得る。図１５に図示されたホストコンピュータ３３１０、基地局３３２０およびＵＥ３３３０は、それぞれ図１４のホストコンピュータ３２３０、基地局３２１２ａ、３２１２ｂ、３２１２ｃのうちの１つ、およびＵＥ３２９１、３２９２のうちの１つと同一でよいことが注意される。つまり、これらのエンティティの内部作用は図１５に示された通りでよく、独立して、周囲のネットワークトポロジは図１４のものでよい。
【０１７４】
図１５において、ＯＴＴ接続３３５０は、基地局３３２０を介したホストコンピュータ３３１０とユーザ機器３３３０の間の通信を、いかなる中間デバイスも、これらのデバイスを介したメッセージの正確なルーティングも、明示的に参照することなく抽象的に図示するものである。ネットワークインフラストラクチャは、ネットワークインフラストラクチャの設定が、ＵＥ３３３０、またはホストコンピュータ３３１０を運営するサービスプロバイダ、または両方から隠すように設定され得るルーティングを判定してよい。ＯＴＴ接続３３５０がアクティブである間に、ネットワークインフラストラクチャは（たとえばネットワークのロードバランシングの検討または再設定を基に）ルーティングを動的に変更することをさらに決定してよい。
【０１７５】
ＵＥ３３３０と基地局３３２０の間の無線接続３３７０は、本開示の全体にわたって説明された実施形態の教示によるものである。様々な実施形態のうちの１つまたは複数が、最後のセグメントが無線接続３３７０で形成されているＯＴＴ接続３３５０を使用してＵＥ３３３０に提供されるＯＴＴサービスの性能を改善する。より正確には、これらの実施形態の教示は、データレート、レイテンシ、および電力消費を改善することにより、ユーザ待ち時間、ファイルサイズに対する制限の緩和、応答性の改善、バッテリ寿命の延長などの利益を提供するものである。
【０１７６】
データレート、レイテンシならびに１つまたは複数の実施形態が改善する他の要因を監視するための測定手順が提供され得る。測定結果の変化に応答してホストコンピュータ３３１０とＵＥ３３３０の間のＯＴＴ接続３３５０を再設定するための任意選択のネットワーク機能がさらにあってよい。ＯＴＴ接続３３５０を再設定するための測定手順および／またはネットワーク機能は、ホストコンピュータ３３１０のソフトウェア３３３１、またはＵＥ３３３０のソフトウェア３３１１、または両方で実施されてよい。実施形態では、センサ（図示せず）が、ＯＴＴ接続３３５０を通す通信デバイスの中に、または同デバイスに関連して配備されてよく、センサは、上記の例の監視された量の値または他の物理量の値を供給することによって測定手順に関与してよく、ソフトウェア３３１１、３３３１は、これらの値から、監視された量を計算するかまたは推定してよい。ＯＴＴ接続３３５０の再設定は、メッセージフォーマット、再送信セッティング、望ましいルーティングなどを含み得、再設定は、基地局３３２０に影響を及ぼす必要はなく、基地局３３２０が分からない、または感知できないものでよい。そのような手順および機能性は、当技術において既知の実施され得るものである。ある特定の実施形態では、測定は専用のＵＥシグナリングを包含し得、ホストコンピュータ３３１０の測定のスループット、伝播時間、レイテンシなどを容易にする。実施され得る測定では、ソフトウェア３３１１、３３３１が、伝播時間、エラーなどを監視しながら、ＯＴＴ接続３３５０を使用して、メッセージ、詳細には空すなわち「ダミー」のメッセージを送信する。
【０１７７】
図１６は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図３２および図３３を参照しながら説明されたものでよい。本開示の簡単さのために、この段落で参照されるのは図１６のみである。この方法の第１のアクション３４１０において、ホストコンピュータはユーザデータを供給する。第１のアクション３４１０の任意選択のサブアクション３４１１において、ホストコンピュータは、ホストアプリケーションを実行することによってユーザデータを供給する。第２のアクション３４２０において、ホストコンピュータは、ユーザデータをＵＥに搬送する送信を開始する。本開示の全体にわたって説明された実施形態の教示により、任意選択の第３のアクション３４３０において、基地局は、ホストコンピュータが開始した送信において搬送されたユーザデータをＵＥに送信する。任意選択の第４のアクション３４４０において、ＵＥは、ホストコンピュータによって実行されるホストアプリケーションに関連したクライアントアプリケーションを実行する。
【０１７８】
図１７は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図１４および図１５を参照しながら説明されたものでよい。本開示の簡単さのために、この段落で参照されるのは図１７のみである。この方法の第１のアクション３５１０において、ホストコンピュータはユーザデータを供給する。任意選択のサブアクション（図示せず）において、ホストコンピュータは、ホストアプリケーションを実行することによってユーザデータを供給する。第２のアクション３５２０において、ホストコンピュータは、ユーザデータをＵＥに搬送する送信を開始する。送信は、本開示を通じて説明された実施形態の教示により、基地局を介したものでよい。任意選択の第３のアクション３５３０において、ＵＥは、送信で搬送されたユーザデータを受信する。
【０１７９】
図１８は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図１４および図１５を参照しながら説明されたものでよい。本開示の簡単さのために、この段落で参照されるのは図１８のみである。この方法の任意選択の第１のアクション３６１０において、ＵＥは、ホストコンピュータによって供給された入力データを受信する。それに加えて、またはその代わりに、ＵＥは、任意選択の第２のアクション３６２０においてユーザデータを供給する。第２のアクション３６２０の任意選択のサブアクション３６２１において、ＵＥは、クライアントアプリケーションを実行することによってユーザデータを供給する。第１のアクション３６１０のさらなる任意選択のサブアクション３６１１において、ＵＥは、ホストコンピュータによって供給された受信入力データに反応してユーザデータを供給するクライアントアプリケーションを実行する。実行されるクライアントアプリケーションは、ユーザデータを供給するとき、ユーザから受け取ったユーザ入力をさらに考慮に入れてよい。ユーザデータが供給された特定のやり方に関係なく、ＵＥは、任意選択の第３のサブアクション３６３０において、ホストコンピュータへのユーザデータの送信を開始する。この方法の第４のアクション３６４０において、本開示の全体にわたって説明された実施形態の教示により、ホストコンピュータはＵＥから送信されたユーザデータを受信する。
【０１８０】
図１９は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図１４および図１５を参照しながら説明されたものでよい。本開示の簡単さのために、この段落で参照されるのは図１９のみである。この方法の任意選択の第１のアクション３７１０において、本開示の全体にわたって説明された実施形態の教示により、基地局はＵＥからユーザデータを受信する。任意選択の第２のアクション３７２０において、基地局は、受信したユーザデータのホストコンピュータへの送信を開始する。第３のアクション３７３０において、ホストコンピュータは、基地局が開始した送信で搬送されたユーザデータを受信する。
【０１８１】
「備える」または「備えている」という語を使用するとき、非限定的に解釈されるものとし、すなわち「少なくとも〜から成る」を意味する。
【０１８２】
本明細書の実施形態は、前述の望ましい実施形態に限定されない。様々な代替形態、修正形態および均等物が使用され得る。
【図１】
2021503756.tif 000003
【図２】
2021503756.tif 000004
【図３】
2021503756.tif 000005
【図４】
2021503756.tif 000006
【図５】
2021503756.tif 000007
【図６】
2021503756.tif 000008
【図７】
2021503756.tif 000009
【図８】
2021503756.tif 000010
【図９】
2021503756.tif 000011
【図１０】
2021503756.tif 000012
【図１１】
2021503756.tif 000013
【図１２】
2021503756.tif 000014
【図１３】
2021503756.tif 000015
【図１４】
2021503756.tif 000016
【図１５】
2021503756.tif 000017
【図１６】
2021503756.tif 000018
【図１７】
2021503756.tif 000019
【図１８】
2021503756.tif 000020
【図１９】
2021503756.tif 000021
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
無線通信ネットワーク（１００）において近隣セルの設定を管理するために第１のネットワークノード（１１１）によって実施される方法であって、前記第１のネットワークノード（１１１）および第３のネットワークノード（１１３）が前記無線通信ネットワーク（１００）において動作する、方法において、
前記第３のネットワークノード（１１３）によって送信された１つまたは複数の送信が実際に送信されたか否かを指示するパターンを含む設定を取得すること（８０１）であって、前記送信が、同期信号（ＳＳ）ブロックおよびビームのいずれかを含む、設定を取得すること（８０１）と、
前記受信された設定に基づいて近隣セルの前記設定を管理すること（８０２）と、
を含む方法。
【請求項２】
前記パターンが、１つのパターン、パターンのグループ、送信パターンおよびＵＥ測定パターンのいずれかを含む、請求項１に記載の方法。
【請求項３】
前記１つまたは複数の送信が実際に送信されたか否かを指示する前記パターンが、前記１つまたは複数の送信がＵＥ測定に実際に利用可能か否かを指示するパターンによって表現される、請求項１または２に記載の方法。
【請求項４】
前記取得される設定が、
前記第１のネットワークノード（１１１）によって決定されること、１つまたは複数のユーザ機器（ＵＥ）（１２０）から受信されること、および前記第３のネットワークノード（１１３）から受信されること、
のいずれかによって取得される、請求項１から３のいずれか一項に記載の方法。
【請求項５】
前記第３のネットワークノード（１１３）が前記第１のネットワークノード（１１１）と同一のネットワークノードである、請求項１から４のいずれか一項に記載の方法。
【請求項６】
前記受信された設定に基づき、近隣セルの前記設定を管理すること（８０２）が、
−  前記受信された設定のすべてまたは一部分を別のネットワークノードに送ること、
−  前記受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定のために前記ＳＳＢのセットを設定すること、
−  １つまたは複数のＵＥに関する測定ギャップを設定すること、
−  １つまたは複数の独自の送信を設定すること、
−  セルのセットのすべてまたは少なくともＮ個のセルによって実際に送信されたＳＳＢの共通セットを判定すること、
−  セルのセットのうちのセルのいずれによっても送信されなかったＳＳＢの共通セットを判定すること、
−  隣接セルにおいて前記ＳＳＢが送信されたか否かということに基づいて負荷特性またはメトリックを判定すること、および
−  前記無線通信ネットワーク（１００）において動作する第２のネットワークノード（１１２）に前記設定を送ること、
のうちの１つまたは複数を実施することを含む、請求項１から５のいずれか一項に記載の方法。
【請求項７】
無線通信ネットワーク（１００）において近隣セルの設定をハンドリングするためにユーザ機器（ＵＥ）（１２０）によって実施される方法であって、前記ＵＥ（１２０）、第１のネットワークノード（１１１）および第３のネットワークノード（１１３）が前記無線通信ネットワーク（１００）において動作する方法において、
同期信号（ＳＳ）ブロックおよびビームのいずれかを含む、第３のネットワークノード（１１３）によって送信された１つまたは複数の送信が実際に送信されたか否かを指示するパターンを含む設定を取得すること（９０１）と、
前記第１のネットワークノード（１１１）に前記設定を送ること（９０２）と、
を含む方法。
【請求項８】
前記パターンが、１つのパターン、パターンのグループ、送信パターンおよびＵＥ測定パターンのいずれかを含む、請求項７に記載の方法。
【請求項９】
前記１つまたは複数の送信が実際に送信されたか否かを指示する前記パターンが、前記１つまたは複数の送信がＵＥ測定に実際に利用可能か否かを指示するパターンによって表現される、請求項７または８に記載の方法。
【請求項１０】
前記取得される設定が、
前記ＵＥ（１２０）によって決定されること、および前記第３のネットワークノード（１１３）から受信されること、
のいずれかによって取得される、請求項７から９のいずれか一項に記載の方法。
【請求項１１】
無線通信ネットワーク（１００）において近隣セルの設定を管理するために第２のネットワークノード（１１２）によって実施される方法であって、第１のネットワークノード（１１１）、前記第２のネットワークノード（１１２）および第３のネットワークノード（１１３）が前記無線通信ネットワーク（１００）において動作する、方法において、
前記第１のネットワークノード（１１１）から、同期信号（ＳＳ）ブロックおよびビームのいずれかを含む、第３のネットワークノード（１１３）によって送信された１つまたは複数の送信が実際に送信されたか否かを指示するパターンを含む設定を受信すること（１００１）と、
前記受信された設定に基づいて近隣セルの設定を管理すること（１００２）と、
を含む方法。
【請求項１２】
前記パターンが、１つのパターン、パターンのグループ、送信パターンおよびＵＥ測定パターンのいずれかを含む、請求項１１に記載の方法。
【請求項１３】
前記１つまたは複数の送信が実際に送信されたか否かを指示する前記パターンが、前記１つまたは複数の送信がＵＥ測定に実際に利用可能か否かを指示するパターンによって表現される、請求項１１または１２に記載の方法。
【請求項１４】
無線通信ネットワーク（１００）の通信システムにおいて近隣セルの設定を管理するための第１のネットワークノード（１１１）であって、前記第１のネットワークノード（１１１）および第３のネットワークノード（１１３）が前記無線通信ネットワーク（１００）において動作可能であり、前記第１のネットワークノード（１１１）が、
第３のネットワークノード（１１３）によって送信された１つまたは複数の送信が実際に送信されたか否かを指示するパターンを含む設定を取得することであって、前記送信が、同期信号（ＳＳ）ブロックおよびビームのいずれかを含むように適合されている、設定を取得することと、
前記受信された設定に基づいて近隣セルの前記設定を管理することと、
を行うように設定されている、第１のネットワークノード（１１１）。
【請求項１５】
前記１つまたは複数の送信が実際に送信されたか否かを指示する前記パターンが、前記１つまたは複数の送信がＵＥ測定のために実際に利用可能か否かを指示するパターンによって表現されるように適合されている、請求項１４に記載の第１のネットワークノード（１１１）。
【請求項１６】
前記取得される設定が、
前記第１のネットワークノード（１１１）によって決定されること、１つまたは複数のユーザ機器（ＵＥ）（１２０）から受信されること、および前記第３のネットワークノード（１１３）から受信されること、
のいずれかによって取得されるように適合されている、請求項１４または１５に記載の第１のネットワークノード（１１１）。
【請求項１７】
前記受信された設定に基づき、
−  前記受信された設定のすべてまたは一部分を別のネットワークノードに送ること、
−  前記受信された設定のすべてまたは一部分を１つまたは複数のＵＥに送ること、
−  測定ギャップを設定すること、
−  測定サイクルを設定すること、
−  間欠受信（ＤＲＸ）を設定すること、
−  １つまたは複数の測定対象を更新すること、
−  １つまたは複数のＵＥに関する設定を報告すること、
−  測定に関する前記ＳＳＢのセットを設定すること、
−  １つまたは複数のＵＥに関する測定ギャップを設定すること、
−  １つまたは複数の独自の送信を設定すること、
−  セルのセットのすべてまたは少なくともＮ個のセルによって実際に送信されたＳＳＢの共通セットを判定すること、
−  セルのセットのうちのセルのいずれによっても送信されなかったＳＳＢの共通セットを判定すること、
−  隣接セルにおいて前記ＳＳＢが送信されたか否かということに基づいて負荷特性またはメトリックを判定すること、および
−  前記無線通信ネットワーク（１００）において動作する第２のネットワークノード（１１２）に前記設定を送ること、
のうちの１つまたは複数を実施することによって、近隣セルの前記設定を管理するようにさらに設定されている、請求項１４から１６のいずれか一項に記載の第１のネットワークノード（１１１）。
【請求項１８】
無線通信ネットワーク（１００）における近隣セルの設定をハンドリングするためのユーザ機器（ＵＥ）（１２０）であって、前記ＵＥ（１２０）、第１のネットワークノード（１１１）、および第３のネットワークノード（１１３）が前記無線通信ネットワーク（１００）において動作可能であり、前記ＵＥ（１２０）が、
第３のネットワークノード（１１３）によって送信された１つまたは複数の送信が実際に送信されたか否かを指示するパターンを含むように適合されている設定を取得することであって、前記送信が、同期信号（ＳＳ）ブロックおよびビームのいずれかを含むように適合されている、設定を取得することと、
前記設定を前記第１のネットワークノード（１１１）に送信することと、
を行うように設定されているＵＥ（１２０）。
【請求項１９】
前記１つまたは複数の送信が実際に送信されたか否かを指示する前記パターンが、前記１つまたは複数の送信がＵＥ測定のために実際に利用可能か否かを指示するパターンによって表現されるように適合されている、請求項１８に記載のＵＥ（１２０）。
【請求項２０】
前記設定が、
前記ＵＥ（１２０）によって決定されること、および前記第３のネットワークノード（１１３）から受信されること、
のいずれかによって取得されるように適合されている、請求項１８または１９に記載のＵＥ（１２０）。
【請求項２１】
無線通信ネットワーク（１００）において近隣セルの設定をハンドリングするための第２のネットワークノード（１１２）であって、第１のネットワークノード（１１１）、前記第２のネットワークノード（１１２）および第３のネットワークノード（１１３）が前記無線通信ネットワーク（１００）において動作可能であり、前記第２のネットワークノード（１１２）が、
前記第１のネットワークノード（１１１）から、同期信号（ＳＳ）ブロックおよびビームのいずれかを含むように適合された、第３のネットワークノード（１１３）によって送信された１つまたは複数の送信が実際に送信されたか否かを指示するパターンを含むように適合された設定を受信することと、
前記受信された設定に基づいて近隣セルの前記設定を管理することと、
を行うように設定されている、第２のネットワークノード（１１２）。
【請求項２２】
前記１つまたは複数の送信が実際に送信されたか否かを指示する前記パターンが、前記１つまたは複数の送信がＵＥ測定のために実際に利用可能か否かを指示するパターンによって表現されるように適合されている、請求項２１に記載の第２のネットワークノード（１１２）。
【国際調査報告】
2021503756.tif 000022
2021503756.tif 000023
2021503756.tif 000024